(57)【要約】  本発明では、通常基地局が、通常基地局ユーザのフィードバック情報に基づいて、スケジューリングを行い、通常基地局の実際の伝送特性に関するパラメータが含まれる通常基地局のユーザスケジューリング結果を得、１つまたは複数の低電力基地局の通常基地局送信無しの場合、および通常基地局送信有りの場合それぞれでの、各低電力基地局の性能推定パラメータを取得し、前記性能推定パラメータと前記通常基地局のユーザスケジューリング結果とに基づき、通常基地局送信無しの場合での全ての送信ポイントの重み付けスループットと、通常基地局送信有りの場合での全ての送信ポイントの重み付けスループットを決定し、前記全ての送信ポイントの重み付けスループットを比較して送信判定し、判定結果に基づいてデータを送信することでセル間干渉調整を行う。
2012157519.tif 000002
【特許請求の範囲】
【請求項１】
通常基地局と該通常基地局のカバー領域内にある１つまたは複数の低電力基地局とを送信ポイントとして少なくとも含む無線ネットワークにおけるセル間干渉調整方法であって、
前記通常基地局が、通常基地局ユーザのフィードバック情報に基づいて、スケジューリングを行って、該通常基地局の実際の伝送特性に関するパラメータが含まれる該通常基地局のユーザスケジューリング結果を得るステップＡと、
前記通常基地局が、前記１つまたは複数の低電力基地局の、通常基地局送信無しの場合および通常基地局送信有りの場合それぞれでの、各低電力基地局の実際の伝送特性に関するパラメータが含まれる性能推定パラメータを取得するステップＢと、
前記性能推定パラメータと前記通常基地局のユーザスケジューリング結果とに基づいて、前記通常基地局が、通常基地局送信無しの場合での全ての送信ポイントの重み付けスループットと、通常基地局送信有りの場合での全ての送信ポイントの重み付けスループットとを決定するステップＣと、
前記通常基地局が、前記全ての送信ポイントの重み付けスループットを比較して、送信判定結果を得、前記送信判定結果に基づいて、データ送信を行うステップＤと、
を含むことを特徴とする方法。
【請求項２】
前記ステップＢは、
前記通常基地局が、前記１つまたは複数の低電力基地局から、低電力基地局ユーザのフィードバック情報を受信し、通常基地局送信無しの場合に対して、低電力基地局のユーザスケジューリングを行って、第１ユーザセットＡＰｊを得、通常基地局送信有りの場合に対して、低電力基地局のユーザスケジューリングを行って、第２ユーザセットＢＰｊを得、前記第１ユーザセットＡＰｊおよび前記第２ユーザセットＢＰｊに対して、性能推定をぞれぞれ行って、相応の性能推定パラメータを得る、
ことを含むことを特徴とする請求項１に記載の方法。
【請求項３】
前記通常基地局が、前記送信判定結果を前記１つまたは複数の低電力基地局へフィードバックし、
前記低電力基地局が、前記送信判定結果に基づいて、自局のユーザスケジューリングを行って、データを送信する、
ことをさらに含むことを特徴とする請求項２に記載の方法。
【請求項４】
ステップＢの前に、
各低電力基地局が、自局のユーザのフィードバック情報に基づいて、プリスケジューリングを行って、通常基地局送信無しの場合での第１ユーザセットＡＰｊと、通常基地局送信有りの場合での第２ユーザセットＢＰｊを得、
前記低電力基地局が、第１ユーザセットＡＰｊおよび第２ユーザセットＢＰｊに対して、性能推定をそれぞれ行って、得られた性能推定パラメータを前記通常基地局へフィードバックする、
ことをさらに含むことを特徴とする請求項１に記載の方法。
【請求項５】
前記通常基地局が、前記送信判定結果を前記１つまたは複数の低電力基地局へフィードバックし、
各低電力基地局が、前記送信判定結果に基づいて、第１ユーザセットＡＰｊおよび第２ユーザセットＢＰｊの中から、相応のユーザセットを決定して、データ送信を行う、
ことをさらに含むことを特徴とする請求項４に記載の方法。
【請求項６】
前記ステップＣは、
前記通常基地局が、数式
【数１】
2012157519.tif 000143
によって、通常基地局送信無しの場合での全ての送信ポイントの重み付けスループットを決定し、かつ、
数式
【数２】
2012157519.tif 000144
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、Ｎｍは、通常基地局のユーザ数であり、ｆ（Ｎｍ）は、Ｎｍの関数であり、ＮＰｊは、ｊ番目の低電力基地局のユーザ数であり、ｆ（ＮＰｊ）は、ＮＰｊの関数であり、
【数３】
2012157519.tif 000145
は、通常基地局送信無しの場合でのｊ番目の低電力基地局の相応のユーザセットにおけるｉ番目のユーザのスループットであり、
【数４】
2012157519.tif 000146
は、通常基地局送信有りの場合でのｊ番目の低電力基地局の相応のユーザセットにおけるｉ番目のユーザのスループットであり、
【数５】
2012157519.tif 000147
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数６】
2012157519.tif 000148
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す、
ことを特徴とする請求項１〜５のいずれか１項に記載の方法。
【請求項７】
前記ステップＣは、
前記通常基地局が、数式
【数７】
2012157519.tif 000149
によって、通常基地局送信無しの場合での全ての送信ポイントの重み付けスループットを決定し、かつ、数式
【数８】
2012157519.tif 000150
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数９】
2012157519.tif 000151
は、通常基地局送信無しの場合でのｊ番目の低電力基地局の相応のユーザセットにおけるｉ番目のユーザのスループットであり、
【数１０】
2012157519.tif 000152
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
【数１１】
2012157519.tif 000153
は、ｊ番目の低電力基地局の平均スループットであり、
【数１２】
2012157519.tif 000154
であり、
【数１３】
2012157519.tif 000155
は、通常基地局の平均スループットであり、
【数１４】
2012157519.tif 000156
であり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す、
ことを特徴とする請求項１〜５のいずれか１項に記載の方法。
【請求項８】
前記通常基地局が自局のフレーム数情報を記憶する、ことをさらに含むことを特徴とする請求項１〜５のいずれか１項に記載の方法。
【請求項９】
前記ステップＣは、
前記通常基地局が、数式
【数１５】
2012157519.tif 000157
によって、通常基地局送信無しの場合での全ての送信ポイントの重み付けスループットを決定し、かつ、数式
【数１６】
2012157519.tif 000158
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数１７】
2012157519.tif 000159
は、通常基地局送信無しの場合でのｊ番目の低電力基地局の相応のユーザセットにおけるｉ番目のユーザのスループットであり、
【数１８】
2012157519.tif 000160
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である、
ことを特徴とする請求項８に記載の方法。
【請求項１０】
前記ステップＣは、
前記通常基地局が、数式
【数１９】
2012157519.tif 000161
によって、通常基地局送信無しの場合での全ての送信ポイントの重み付けスループットを
決定し、かつ、数式
【数２０】
2012157519.tif 000162
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数２１】
2012157519.tif 000163
は、通常基地局送信無しの場合でのｊ番目の低電力基地局の相応のユーザセットにおけるｉ番目のユーザのスループットであり、
【数２２】
2012157519.tif 000164
は、通常基地局送信有りの場合でのｊ番目の低電力基地局の相応のユーザセットにおけるｉ番目のユーザのスループットであり、
【数２３】
2012157519.tif 000165
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数２４】
2012157519.tif 000166
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である、
ことを特徴とする請求項８に記載の方法。
【請求項１１】
前記ステップＣは、
前記通常基地局は、数式
【数２５】
2012157519.tif 000167
によって、通常基地局送信無しの場合での全ての送信ポイントの重み付けスループットを決定し、かつ、数式
【数２６】
2012157519.tif 000168
によって、通常基地局送信有りの場合での全ての送信ポイントの重み付けスループットを決定する、ことを含み、
ここで、ＷＰｊ，ｉ（ｔ）は、ｊ番目の低電力基地局の相応のユーザセットにおけるｉ番目のユーザを伝送先とすべきデータ総量を表し、ｆ（ＷＰｊ，ｉ（ｔ））は、ＷＰｊ，ｉ（ｔ）の関数であり、Ｗｍ，ｉ（ｔ）は、通常基地局の相応のユーザセットにおけるｉ番目のユーザを伝送先とすべきデータ総量を表し、ｆ（Ｗｍ，ｉ（ｔ））は、Ｗｍ，ｉ（ｔ）の関数である、
ことを特徴とする請求項１〜５のいずれか１項に記載の方法。
【請求項１２】
前記ステップＣは、
前記通常基地局が、数式
【数２７】
2012157519.tif 000169
によって、通常基地局送信無しの場合での全ての送信ポイントの重み付けスループットを決定し、かつ、数式
【数２８】
2012157519.tif 000170
によって、通常基地局送信有りの場合での全ての送信ポイントの重み付けスループットを決定する、ことを含み、
ここで、ＳＰｊ，ｉ（ｔ）は、ｊ番目の低電力基地局の相応のユーザセットにおけるｉ番目のユーザを伝送元とすべきデータ総量を表し、ｆ（ＳＰｊ，ｉ（ｔ））は、ＳＰｊ，ｉ（ｔ）の関数であり、Ｓｍ，ｉ（ｔ）は、通常基地局の相応のユーザセットにおけるｉ番目のユーザを伝送元とすべきデータ総量を表し、ｆ（Ｓｍ，ｉ（ｔ））は、Ｓｍ，ｉ（ｔ）の関数である、
ことを特徴とする請求項１〜５のいずれか１項に記載の方法。
【請求項１３】
無線ネットワークにおける基地局であって、
通常基地局ユーザのフィードバック情報に基づいて、スケジューリングを行って、該通常基地局の実際の伝送特性に関するパラメータが含まれる該通常基地局のユーザスケジューリング結果を得るユーザスケジューリングモジュールと、
１つまたは複数の低電力基地局の、通常基地局送信無しの場合および通常基地局送信有りの場合それぞれでの、各低電力基地局の実際の伝送特性に関するパラメータが含まれる性能推定パラメータを取得し、前記性能推定パラメータと前記通常基地局のユーザスケジューリング結果とに基づいて、通常基地局送信無しの場合での全ての送信ポイントの重み付けスループットと、通常基地局送信有りの場合での全ての送信ポイントの重み付けスループットとを決定し、前記全ての送信ポイントの重み付けスループットを比較して、送信判定結果を得る送信判定モジュールと、
を含むことを特徴とする基地局。
【請求項１４】
前記１つまたは複数の低電力基地局から、低電力基地局ユーザのフィードバック情報を受信し、通常基地局送信無しの場合に対して、低電力基地局のユーザスケジューリングを行って、第１ユーザセットＡＰｊを得、通常基地局送信有りの場合に対して、低電力基地局のユーザスケジューリングを行って、第２ユーザセットＢＰｊを得、前記第１ユーザセットＡＰｊおよび前記第２ユーザセットＢＰｊに対して、性能推定をぞれぞれ行って、相応の性能推定パラメータを得る性能推定モジュールを、
さらに含むことを特徴とする請求項１３に記載の基地局。
【請求項１５】
前記送信判定結果に基づいて、前記通常基地局のデータ送信をオンまたはオフにする送信スイッチを、
さらに含むことを特徴とする請求項１３に記載の基地局。
【請求項１６】
前記送信判定モジュールは、数式
【数２９】
2012157519.tif 000171
によって、通常基地局送信無しの場合での全ての送信ポイントの重み付けスループットを決定し、かつ、数式
【数３０】
2012157519.tif 000172
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、Ｎｍは、通常基地局のユーザ数であり、ｆ（Ｎｍ）は、Ｎｍの関数であり、ＮＰｊは、ｊ番目の低電力基地局のユーザ数であり、ｆ（ＮＰｊ）は、ＮＰｊの関数であり、
【数３１】
2012157519.tif 000173
は、通常基地局送信無しの場合でのｊ番目の低電力基地局の相応のユーザセットにおけるｉ番目のユーザのスループットであり、
【数３２】
2012157519.tif 000174
は、通常基地局送信有りの場合でのｊ番目の低電力基地局の相応のユーザセットにおけるｉ番目のユーザのスループットであり、
【数３３】
2012157519.tif 000175
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数３４】
2012157519.tif 000176
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す、
ことを特徴とする請求項１３〜１５のいずれか１項に記載の基地局。
【請求項１７】
前記送信判定モジュールは、数式
【数３５】
2012157519.tif 000177
によって、通常基地局送信無しの場合での全ての送信ポイントの重み付けスループットを決定し、かつ、数式
【数３６】
2012157519.tif 000178
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数３７】
2012157519.tif 000179
は、通常基地局送信無しの場合でのｊ番目の低電力基地局の相応のユーザセットにおけるｉ番目のユーザのスループットであり、
【数３８】
2012157519.tif 000180
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
【数３９】
2012157519.tif 000181
は、ｊ番目の低電力基地局の平均スループットであり、
【数４０】
2012157519.tif 000182
であり、
【数４１】
2012157519.tif 000183
は、通常基地局の平均スループットであり、
【数４２】
2012157519.tif 000184
であり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す、
ことを特徴とする請求項１３〜１５のいずれか１項に記載の基地局。
【請求項１８】
該通常基地局のフレーム数情報を記憶する送信記憶モジュールをさらに含み、
前記送信判定モジュールは、数式
【数４３】
2012157519.tif 000185
によって、通常基地局送信無しの場合での全ての送信ポイントの重み付けスループットを決定し、かつ、数式
【数４４】
2012157519.tif 000186
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数４５】
2012157519.tif 000187
は、通常基地局送信無しの場合でのｊ番目の低電力基地局の相応のユーザセットにおけるｉ番目のユーザのスループットであり、
【数４６】
2012157519.tif 000188
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である、
ことを特徴とする請求項１３〜１５のいずれか１項に記載の基地局。
【請求項１９】
該通常基地局のフレーム数情報を記憶する送信記憶モジュールをさらに含み、
前記送信判定モジュールは、数式
【数４７】
2012157519.tif 000189
によって、通常基地局送信無しの場合での全ての送信ポイントの重み付けスループットを決定し、かつ、数式
【数４８】
2012157519.tif 000190
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数４９】
2012157519.tif 000191
は、通常基地局送信無しの場合でのｊ番目の低電力基地局の相応のユーザセットにおけるｉ番目のユーザのスループットであり、
【数５０】
2012157519.tif 000192
は、通常基地局送信有りの場合でのｊ番目の低電力基地局の相応のユーザセットにおけるｉ番目のユーザのスループットであり、
【数５１】
2012157519.tif 000193
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数５２】
2012157519.tif 000194
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である、
ことを特徴とする請求項１３〜１５のいずれか１項に記載の基地局。
【請求項２０】
前記送信判定モジュールは、数式
【数５３】
2012157519.tif 000195
によって、通常基地局送信無しの場合での全ての送信ポイントの重み付けスループットを決定し、かつ、数式
【数５４】
2012157519.tif 000196
によって、通常基地局送信有りの場合での全ての送信ポイントの重み付けスループットを決定し、
ここで、ＷＰｊ，ｉ（ｔ）は、ｊ番目の低電力基地局の相応のユーザセットにおけるｉ番目のユーザを伝送先とすべきデータ総量を表し、ｆ（ＷＰｊ，ｉ（ｔ））は、ＷＰｊ，ｉ（ｔ）の関数であり、Ｗｍ，ｉ（ｔ）は、通常基地局の相応のユーザセットにおけるｉ番目のユーザを伝送先とすべきデータ総量を表し、ｆ（Ｗｍ，ｉ（ｔ））は、Ｗｍ，ｉ（ｔ）の関数である、
ことを特徴とする請求項１３〜１５のいずれか１項に記載の基地局。
【請求項２１】
前記送信判定モジュールは、数式
【数５５】
2012157519.tif 000197
によって、通常基地局送信無しの場合での全ての送信ポイントの重み付けスループットを決定し、かつ、数式
【数５６】
2012157519.tif 000198
によって、通常基地局送信有りの場合での全ての送信ポイントの重み付けスループットを決定し、
ここで、ＳＰｊ，ｉ（ｔ）は、ｊ番目の低電力基地局の相応のユーザセットにおけるｉ番目のユーザを伝送元とすべきデータ総量を表し、ｆ（ＳＰｊ，ｉ（ｔ））は、ＳＰｊ，ｉ（ｔ）の関数であり、Ｓｍ，ｉ（ｔ）は、通常基地局の相応のユーザセットにおけるｉ番目のユーザを伝送元とすべきデータ総量を表し、ｆ（Ｓｍ，ｉ（ｔ））は、Ｓｍ，ｉ（ｔ）の関数である、
ことを特徴とする請求項１３〜１５のいずれか１項に記載の基地局。
【請求項２２】
無線ネットワークであって、
通常基地局ユーザのフィードバック情報に基づいて、スケジューリングを行って、該通常基地局の実際の伝送特性に関するパラメータが含まれる該通常基地局のユーザスケジューリング結果を得、該通常基地局のカバー範囲内にある１つまたは複数の低電力基地局の、通常基地局送信無しの場合および通常基地局送信有りの場合それぞれでの、各低電力基地局の実際の伝送特性に関するパラメータが含まれる性能推定パラメータを取得し、前記性能推定パラメータと前記通常基地局のユーザスケジューリング結果とに基づいて、通常基地局送信無しの場合での全ての送信ポイントの重み付けスループットと、通常基地局送信有りの場合での全ての送信ポイントの重み付けスループットとを決定し、前記全ての送信ポイントの重み付けスループットを比較して、送信判定結果を得、前記送信判定結果に基づいて、データ送信を行う通常基地局と、
自局のユーザのフィードバック情報に基づいて、プリスケジューリングを行って、通常基地局送信無しの場合での第１ユーザセットＡＰｊと、通常基地局送信有りの場合での第２ユーザセットＢＰｊとを得、第１ユーザセットＡＰｊおよび第２ユーザセットＢＰｊに対して、性能推定をぞれぞれ行って、得られた性能推定パラメータを前記通常基地局へフィードバックする前記１つまたは複数の低電力基地局と、
を含むことを特徴とする無線ネットワーク。
【請求項２３】
前記通常基地局は、さらに、前記送信判定結果を前記１つまたは複数の低電力基地局へフィードバックし、
前記低電力基地局は、さらに、前記送信判定結果に基づいて、第１ユーザセットＡＰｊおよび第２ユーザセットＢＰｊの中から、相応のユーザセットを決定して、データ送信を行う、
ことを特徴とする請求項２２に記載の無線ネットワーク。
【請求項２４】
通常基地局と該通常基地局のカバー領域内にある１つまたは複数の低電力基地局とを送信ポイントとして少なくとも含む無線ネットワークにおけるセル間干渉調整方法であって、
前記通常基地局が、現在時刻ｔでの送信判定結果に基づいて、該通常基地局の第１時刻ｔ１でのスループットを決定するステップＡと、
前記通常基地局が、前記１つまたは複数の低電力基地局の第１時刻ｔ１でのスループットを取得するステップＢと、
前記通常基地局が、全ての送信ポイントの第１時刻ｔ１でのスループットと、第１時刻より前の第２時刻ｔ２でのスループットとの比較結果に基づいて、次の時刻ｔ＋１での送信判定結果を決定することにより、前記送信判定結果に基づいて、次の時刻ｔ＋１で、通常基地局送信無しまたは通常基地局送信有りに応じる動作が実行できるようにするステップＣと、
を含むことを特徴とする方法。
【請求項２５】
前記ステップＡは、
現在時刻ｔでの送信判定結果が通常基地局送信無しである場合、前記通常基地局が、現在時刻ｔでの推定スループットＣｍ（ｔ）を０に設定し、
現在時刻ｔでの送信判定結果が通常基地局送信有りである場合、前記通常基地局が、通常基地局のユーザスケジューリングを行って、現在時刻ｔでの推定スループットＣｍ（ｔ）を得る、
ことを含むことを特徴とする請求項２４に記載の方法。
【請求項２６】
前記ステップＢは、
現在時刻ｔでの送信判定結果が通常基地局送信無しである場合、前記通常基地局が、通常基地局送信無しに応じて、低電力基地局のユーザスケジューリングを行って、前記１つまたは複数の低電力基地局の現在時刻ｔでの推定スループット合計
【数５７】
2012157519.tif 000199
を得、
現在時刻ｔでの送信判定結果が通常基地局送信有りである場合、前記通常基地局が、通常基地局送信有りに応じて、低電力基地局のユーザスケジューリングを行って、前記１つまたは複数の低電力基地局の現在時刻ｔでの推定スループット合計
【数５８】
2012157519.tif 000200
を得る、
ことを含むことを特徴とする請求項２４に記載の方法。
【請求項２７】
前記ステップＢは、
現在時刻ｔでの送信判定結果が通常基地局送信無しである場合、各低電力基地局が、通常基地局送信無しに応じて、該低電力基地局のユーザスケジューリングを行って、自局の現在時刻ｔでの推定スループットＣＰｊ（ｔ）を得て、前記通常基地局に送信し、
現在時刻ｔでの送信判定結果が通常基地局送信有りである場合、各低電力基地局が、通常基地局送信有りに応じて、該低電力基地局のユーザスケジューリングを行って、自局の現在時刻ｔでの推定スループットＣＰｊ（ｔ）を得て、前記通常基地局に送信する、
ことを含むことを特徴とする請求項２４に記載の方法。
【請求項２８】
前記ステップＣは、
前記通常基地局が、現在時刻ｔでの総推定スループット
【数５９】
2012157519.tif 000201
と、前の時刻ｔ−１での総推定スループット
【数６０】
2012157519.tif 000202
とを比較し、
【数６１】
2012157519.tif 000203
前記通常基地局が、現在時刻ｔでの送信判定結果の通りに、次の時刻ｔ＋１での送信判定結果を設定し、
【数６２】
2012157519.tif 000204
前記通常基地局が、次の時刻ｔ＋１での送信判定結果を、現在時刻ｔでの送信判定結果と反対になるように設定する、
ことを含むことを特徴とする請求項２４〜２７のいずれか１項に記載の方法。
【請求項２９】
前記ステップＣは、
前記通常基地局が、第１時刻ｔ−τでの実際スループット
【数６３】
2012157519.tif 000205
と、第２時刻ｔ−τ−１での実際スループット
【数６４】
2012157519.tif 000206
とを比較し、
第１時刻ｔ−τでの実際スループットが第２時刻ｔ−τ−１での実際スループットより大きい場合、前記通常基地局が、現在時刻ｔでの送信判定結果の通りに、次の時刻ｔ＋１での送信判定結果を設定し、
第１時刻ｔ−τでの実際スループットが第２時刻ｔ−τ−１での実際スループットより大きくない場合、前記通常基地局が、次の時刻ｔ＋１での送信判定結果を、現在時刻ｔでの送信判定結果と反対になるように設定する、ことを含み、
ここで、Ｄｍ，ｉは、通常基地局のｉ番目のユーザの実際の送信データ量であり、ＤＰｊ，ｉは、ｊ番目の低電力基地局のｉ番目のユーザの実際の送信データ量であり、ＡＮｍ，ｉは、通常基地局のｉ番目のユーザの相応データの正確受信指示情報であり、ＡＮＰｊ，ｉは、ｊ番目の低電力基地局のｉ番目のユーザの相応データの正確受信指示情報であり、τは、正確受信指示情報のフィードバック時間遅延である、
ことを特徴とする請求項２４に記載の方法。
【発明の詳細な説明】
【技術分野】
【０００１】
本発明は、無線通信分野に関し、特に、無線ネットワークにおけるセル間干渉調整方法、基地局および無線ネットワークに関する。
【背景技術】
【０００２】
異種ネットワーク（ＨｅｔＮｅｔ）は、現在の無線ネットワークカバレッジ技術の発展方向である。異種ネットワークにおいて、２Ｇ、３Ｇネットワークに使用される通常基地局（例えば、マクロ基地局（ｍａｃｒｏ  ｅＮＢ）など）を除いて、たくさんの低電力基地局（例えば、ピコ基地局（ｐｉｃｏ  ｅＮＢ）、フェムト基地局（ｆｅｍｔｏ  ｅＮＢ）、基地局のリモートラジオヘッド（ＲＲＨ：Ｒｅｍｏｔｅ  Ｒａｄｉｏ  Ｈｅａｄ）、リレー（Ｒｅｌａｙ）、マイクロ基地局（Ｍｉｃｒｏ  ｅＮＢ）など）も配置されている。これらの低電力基地局は、セルの総スループットとセルのカバー範囲とを向上させることができる。但し、低電力基地局に接続されるユーザは、同一領域をカバーするマクロ基地局からの強い干渉を受けてしまう。従って、異種ネットワークにおいて、強化されたセル間干渉調整技術（ｅＩＣＩＣ：ｅｎｈａｎｃｅｄ  ｉｎｔｅｒ−ｃｅｌｌ  ｉｎｔｅｒｆｅｒｅｎｃｅ  ｃｏｏｒｄｉｎａｔｉｏｎ）を使用する必要がある。
【発明の概要】
【発明が解決しようとする課題】
【０００３】
現在の３ＧＰＰ標準化では、ｅＩＣＩＣに対する研究は、主に、時間領域で通常基地局を開閉することで、通常基地局による低電力基地局のユーザへの干渉を減少することに集中している。例えば、３ＧＰＰ  Ｒｅｌ．１０では、半静的ｅＩＣＩＣ技術（ｓｅｍｉ−ｓｔａｔｉｃ  ｅＩＣＩＣ）が集中的に検討される。該技術は、予め設定された送信パターン（ｍｕｔｉｎｇ  ｐａｔｔｅｒｎ）に基づいて、マクロ基地局の開閉状態を制御する。但し、各伝送時間間隔（ＴＴＩ，Ｔｒａｎｓｍｉｓｓｉｏｎ  Ｔｉｍｅ  Ｉｎｔｅｒｖａｌ）にとって、固定の送信パターンは、セルの総スループットに対して最適ではない。従って、動的ｅＩＣＩＣ技術（ｄｙｎａｍｉｃ  ｅＩＣＩＣ）が相応に提案されている。但し、動的ｅＩＣＩＣ技術にとって、現在、異なる送信ポイント（ｔｒａｎｓｍｉｓｓｉｏｎ  ｐｏｉｎｔ）または異なる基地局の相違性が考慮されていない。これにより、マクロ基地局による決定が不公平になってしまうおそれがあり、最終的に、動的ｅＩＣＩＣの性能は比較的悪くなる。【０００４】
本発明では、セル間干渉調整の性能がより良く保障されるように、無線ネットワークにおけるセル間干渉調整方法、基地局および無線ネットワークが提供されている。
【課題を解決するための手段】
【０００５】
通常基地局と該通常基地局のカバー領域内にある１つまたは複数の低電力基地局とを送信ポイントとして少なくとも含む無線ネットワークにおけるセル間干渉調整方法であって、
前記通常基地局が、通常基地局ユーザのフィードバック情報に基づいて、スケジューリングを行って、該通常基地局の実際の伝送特性に関するパラメータが含まれる該通常基地局のユーザスケジューリング結果を得るステップＡと、
前記通常基地局が、前記１つまたは複数の低電力基地局の、通常基地局送信無しの場合および通常基地局送信有りの場合それぞれでの、各低電力基地局の実際の伝送特性に関するパラメータが含まれる性能推定パラメータを取得するステップＢと、
前記性能推定パラメータと前記通常基地局のユーザスケジューリング結果とに基づいて、前記通常基地局が、通常基地局送信無しの場合での全ての送信ポイントの重み付けスループットと、通常基地局送信有りの場合での全ての送信ポイントの重み付けスループットとを決定するステップＣと、
前記通常基地局が、前記全ての送信ポイントの重み付けスループットを比較して、送信判定結果を得、前記送信判定結果に基づいて、データ送信を行うステップＤと、を含む。【０００６】
前記ステップＢは、
前記通常基地局が、前記１つまたは複数の低電力基地局から、低電力基地局ユーザのフィードバック情報を受信し、通常基地局送信無しの場合に対して、低電力基地局のユーザスケジューリングを行って、第１ユーザセットＡＰｊを得、通常基地局送信有りの場合に対して、低電力基地局のユーザスケジューリングを行って、第２ユーザセットＢＰｊを得、前記第１ユーザセットＡＰｊおよび前記第２ユーザセットＢＰｊに対して、性能推定をぞれぞれ行って、相応の性能推定パラメータを得る、ことを含む。
該方法は、
前記通常基地局が、前記送信判定結果を前記１つまたは複数の低電力基地局へフィードバックし、
前記低電力基地局が、前記送信判定結果に基づいて、自局のユーザスケジューリングを行って、データを送信する、ことをさらに含む。【０００７】
ステップＢの前に、該方法は、
各低電力基地局が、自局のユーザのフィードバック情報に基づいて、プリスケジューリングを行って、通常基地局送信無しの場合での第１ユーザセットＡＰｊと、通常基地局送信有りの場合での第２ユーザセットＢＰｊを得、
前記低電力基地局が、第１ユーザセットＡＰｊおよび第２ユーザセットＢＰｊに対して、性能推定をそれぞれ行って、得られた性能推定パラメータを前記通常基地局へフィードバックする、ことをさらに含む。【０００８】
該方法は、
前記通常基地局が、前記送信判定結果を前記１つまたは複数の低電力基地局へフィードバックし、
各低電力基地局が、前記送信判定結果に基づいて、第１ユーザセットＡＰｊおよび第２ユーザセットＢＰｊの中から、相応のユーザセットを決定して、データ送信を行う、ことをさらに含む。【０００９】
前記ステップＣは、
前記通常基地局が、数式
【数１】
2012157519.tif 000003
によって、通常基地局送信無しの場合での全ての送信ポイントの重み付けスループットを決定し、かつ、数式
【数２】
2012157519.tif 000004
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、Ｎｍは、通常基地局のユーザ数であり、ｆ（Ｎｍ）は、Ｎｍの関数であり、ＮＰｊは、ｊ番目の低電力基地局のユーザ数であり、ｆ（ＮＰｊ）は、ＮＰｊの関数であり、
【数３】
2012157519.tif 000005
は、通常基地局送信無しの場合でのｊ番目の低電力基地局の相応のユーザセットにおけるｉ番目のユーザのスループットであり、
【数４】
2012157519.tif 000006
は、通常基地局送信有りの場合でのｊ番目の低電力基地局の相応のユーザセットにおけるｉ番目のユーザのスループットであり、
【数５】
2012157519.tif 000007
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数６】
2012157519.tif 000008
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す。【００１０】
前記ステップＣは、
前記通常基地局が、数式
【数７】
2012157519.tif 000009
によって、通常基地局送信無しの場合での全ての送信ポイントの重み付けスループットを決定し、かつ、数式
【数８】
2012157519.tif 000010
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数９】
2012157519.tif 000011
は、通常基地局送信無しの場合でのｊ番目の低電力基地局の相応のユーザセットにおけるｉ番目のユーザのスループットであり、
【数１０】
2012157519.tif 000012
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
【数１１】
2012157519.tif 000013
は、ｊ番目の低電力基地局の平均スループットであり、
【数１２】
2012157519.tif 000014
であり、
【数１３】
2012157519.tif 000015
は、通常基地局の平均スループットであり、
【数１４】
2012157519.tif 000016
であり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す。
該方法は、前記通常基地局が自局のフレーム数情報を記憶する、ことをさらに含む。【００１１】
前記ステップＣは、
前記通常基地局が、数式
【数１５】
2012157519.tif 000017
によって、通常基地局送信無しの場合での全ての送信ポイントの重み付けスループットを決定し、かつ、数式
【数１６】
2012157519.tif 000018
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数１７】
2012157519.tif 000019
は、通常基地局送信無しの場合でのｊ番目の低電力基地局の相応のユーザセットにおけるｉ番目のユーザのスループットであり、
【数１８】
2012157519.tif 000020
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である。【００１２】
前記ステップＣは、
前記通常基地局が、数式
【数１９】
2012157519.tif 000021
によって、通常基地局送信無しの場合での全ての送信ポイントの重み付けスループットを決定し、かつ、数式
【数２０】
2012157519.tif 000022
によって、通常基地局送信有りの場合での全ての送信ポイントの重み付けスループットを決定する、ことを含み、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数２１】
2012157519.tif 000023
は、通常基地局送信無しの場合でのｊ番目の低電力基地局の相応のユーザセットにおけるｉ番目のユーザのスループットであり、
【数２２】
2012157519.tif 000024
は、通常基地局送信有りの場合でのｊ番目の低電力基地局の相応のユーザセットにおけるｉ番目のユーザのスループットであり、
【数２３】
2012157519.tif 000025
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数２４】
2012157519.tif 000026
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である。【００１３】
前記ステップＣは、
前記通常基地局は、数式
【数２５】
2012157519.tif 000027
によって、通常基地局送信無しの場合での全ての送信ポイントの重み付けスループットを決定し、かつ、数式
【数２６】
2012157519.tif 000028
によって、通常基地局送信有りの場合での全ての送信ポイントの重み付けスループットを決定する、ことを含み、
ここで、ＷＰｊ，ｉ（ｔ）は、ｊ番目の低電力基地局の相応のユーザセットにおけるｉ番目のユーザを伝送先とすべきデータ総量を表し、ｆ（ＷＰｊ，ｉ（ｔ））は、ＷＰｊ，ｉ（ｔ）の関数であり、Ｗｍ，ｉ（ｔ）は、通常基地局の相応のユーザセットにおけるｉ番目のユーザを伝送先とすべきデータ総量を表し、ｆ（Ｗｍ，ｉ（ｔ））は、Ｗｍ，ｉ（ｔ）の関数である。【００１４】
前記ステップＣは、
前記通常基地局が、数式
【数２７】
2012157519.tif 000029
によって、通常基地局送信無しの場合での全ての送信ポイントの重み付けスループットを決定し、かつ、数式
【数２８】
2012157519.tif 000030
によって、通常基地局送信有りの場合での全ての送信ポイントの重み付けスループットを決定する、ことを含み、
ここで、ＳＰｊ，ｉ（ｔ）は、ｊ番目の低電力基地局の相応のユーザセットにおけるｉ番目のユーザを伝送元とすべきデータ総量を表し、ｆ（ＳＰｊ，ｉ（ｔ））は、ＳＰｊ，ｉ（ｔ）の関数であり、Ｓｍ，ｉ（ｔ）は、通常基地局の相応のユーザセットにおけるｉ番目のユーザを伝送元とすべきデータ総量を表し、ｆ（Ｓｍ，ｉ（ｔ））は、Ｓｍ，ｉ（ｔ）の関数である。【００１５】
無線ネットワークにおける基地局であって、
通常基地局ユーザのフィードバック情報に基づいて、スケジューリングを行って、該通常基地局の実際の伝送特性に関するパラメータが含まれる該通常基地局のユーザスケジューリング結果を得るユーザスケジューリングモジュールと、
１つまたは複数の低電力基地局の、通常基地局送信無しの場合および通常基地局送信有りの場合それぞれでの、各低電力基地局の実際の伝送特性に関するパラメータが含まれる性能推定パラメータを取得し、前記性能推定パラメータと前記通常基地局のユーザスケジューリング結果とに基づいて、通常基地局送信無しの場合での全ての送信ポイントの重み付けスループットと、通常基地局送信有りの場合での全ての送信ポイントの重み付けスループットとを決定し、前記全ての送信ポイントの重み付けスループットを比較して、送信判定結果を得る送信判定モジュールと、を含む。【００１６】
該基地局は、
前記１つまたは複数の低電力基地局から、低電力基地局ユーザのフィードバック情報を受信し、通常基地局送信無しの場合に対して、低電力基地局のユーザスケジューリングを行って、第１ユーザセットＡＰｊを得、通常基地局送信有りの場合に対して、低電力基地局のユーザスケジューリングを行って、第２ユーザセットＢＰｊを得、前記第１ユーザセットＡＰｊおよび前記第２ユーザセットＢＰｊに対して、性能推定をぞれぞれ行って、相応の性能推定パラメータを得る性能推定モジュールを、さらに含む。【００１７】
該基地局は、
前記送信判定結果に基づいて、前記通常基地局のデータ送信をオンまたはオフにする送信スイッチを、さらに含む。【００１８】
前記送信判定モジュールは、数式
【数２９】
2012157519.tif 000031
によって、通常基地局送信無しの場合での全ての送信ポイントの重み付けスループットを決定し、かつ、数式
【数３０】
2012157519.tif 000032
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、Ｎｍは、通常基地局のユーザ数であり、ｆ（Ｎｍ）は、Ｎｍの関数であり、ＮＰｊは、ｊ番目の低電力基地局のユーザ数であり、ｆ（ＮＰｊ）は、ＮＰｊの関数であり、
【数３１】
2012157519.tif 000033
は、通常基地局送信無しの場合でのｊ番目の低電力基地局の相応のユーザセットにおけるｉ番目のユーザのスループットであり、
【数３２】
2012157519.tif 000034
は、通常基地局送信有りの場合でのｊ番目の低電力基地局の相応のユーザセットにおけるｉ番目のユーザのスループットであり、
【数３３】
2012157519.tif 000035
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数３４】
2012157519.tif 000036
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す。【００１９】
前記送信判定モジュールは、数式
【数３５】
2012157519.tif 000037
によって、通常基地局送信無しの場合での全ての送信ポイントの重み付けスループットを決定し、かつ、数式
【数３６】
2012157519.tif 000038
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数３７】
2012157519.tif 000039
は、通常基地局送信無しの場合でのｊ番目の低電力基地局の相応のユーザセットにおけるｉ番目のユーザのスループットであり、
【数３８】
2012157519.tif 000040
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
【数３９】
2012157519.tif 000041
は、ｊ番目の低電力基地局の平均スループットであり、
【数４０】
2012157519.tif 000042
であり、
【数４１】
2012157519.tif 000043
は、通常基地局の平均スループットであり、
【数４２】
2012157519.tif 000044
であり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、Ｍｍは、通常基地局でスケジューリングされた通常基地局ユーザセットを表す。【００２０】
該基地局は、該通常基地局のフレーム数情報を記憶する送信記憶モジュールをさらに含み、
前記送信判定モジュールは、数式
【数４３】
2012157519.tif 000045
によって、通常基地局送信無しの場合での全ての送信ポイントの重み付けスループットを決定し、かつ、数式
【数４４】
2012157519.tif 000046
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数４５】
2012157519.tif 000047
は、通常基地局送信無しの場合でのｊ番目の低電力基地局の相応のユーザセットにおけるｉ番目のユーザのスループットであり、
【数４６】
2012157519.tif 000048
は、通常基地局送信有りの場合でのｊ番目の低電力基地局の相応のユーザセットにおけるｉ番目のユーザのスループットであり、Ｒｍ，ｉは、通常基地局の相応のユーザセットにおけるｉ番目のユーザのスループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である。【００２１】
該基地局は、該通常基地局のフレーム数情報を記憶する送信記憶モジュールをさらに含み、
前記送信判定モジュールは、数式
【数４７】
2012157519.tif 000049
によって、通常基地局送信無しの場合での全ての送信ポイントの重み付けスループットを決定し、かつ、数式
【数４８】
2012157519.tif 000050
によって、通常基地局送信有りの場合での全ての送信ポイントの重み付けスループットを決定し、
ここで、ｔは、現在時刻を表し、ｉは、前記通常基地局または各低電力基地局のユーザ番号であり、ｊは、低電力基地局の番号であり、Ｐｊは、ｊ番目の低電力基地局を表し、ＮＰｅＮＢは、低電力基地局の数であり、
【数４９】
2012157519.tif 000051
は、通常基地局送信無しの場合でのｊ番目の低電力基地局の相応のユーザセットにおけるｉ番目のユーザのスループットであり、
【数５０】
2012157519.tif 000052
は、通常基地局送信有りの場合でのｊ番目の低電力基地局の相応のユーザセットにおけるｉ番目のユーザのスループットであり、
【数５１】
2012157519.tif 000053
は、ｊ番目の低電力基地局の相応のユーザセットにおけるｉ番目のユーザの平均スループットであり、Ｒｍ，ｉは、通常基地局の相応のユーザセットにおけるｉ番目のユーザのスループットであり、
【数５２】
2012157519.tif 000054
は、通常基地局の相応のユーザセットにおけるｉ番目のユーザの平均スループットであり、
ＡＰｊは、通常基地局送信無しの場合にｊ番目の低電力基地局でスケジューリングされた第１ユーザセットを表し、ＢＰｊは、通常基地局送信有りの場合にｊ番目の低電力基地局でスケジューリングされた第２ユーザセットを表し、
Ｔは、総フレーム数であり、Ｔｍは、通常基地局の送信無しフレーム数であり、Ｔｎは、通常基地局の送信有りフレーム数であり、ｆ１（Ｔ，Ｔｍ，Ｔｎ）およびｆ２（Ｔ，Ｔｍ，Ｔｎ）は、いずれもＴ、Ｔｍ、Ｔｎの関数である。【００２２】
前記送信判定モジュールは、数式
【数５３】
2012157519.tif 000055
によって、通常基地局送信無しの場合での全ての送信ポイントの重み付けスループットを決定し、かつ、数式
【数５４】
2012157519.tif 000056
によって、通常基地局送信有りの場合での全ての送信ポイントの重み付けスループットを決定し、
ここで、ＷＰｊ，ｉ（ｔ）は、ｊ番目の低電力基地局の相応のユーザセットにおけるｉ番目のユーザを伝送先とすべきデータ総量を表し、ｆ（ＷＰｊ，ｉ（ｔ））は、ＷＰｊ，ｉ（ｔ）の関数であり、Ｗｍ，ｉ（ｔ）は、通常基地局の相応のユーザセットにおけるｉ番目のユーザを伝送先とすべきデータ総量を表し、ｆ（Ｗｍ，ｉ（ｔ））は、Ｗｍ，ｉ（ｔ）の関数である。【００２３】
前記送信判定モジュールは、数式
【数５５】
2012157519.tif 000057
によって、通常基地局送信無しの場合での全ての送信ポイントの重み付けスループットを決定し、かつ、数式
【数５６】
2012157519.tif 000058
によって、通常基地局送信有りの場合での全ての送信ポイントの重み付けスループットを決定し、
ここで、ＳＰｊ，ｉ（ｔ）は、ｊ番目の低電力基地局の相応のユーザセットにおけるｉ番目のユーザを伝送元とすべきデータ総量を表し、ｆ（ＳＰｊ，ｉ（ｔ））は、ＳＰｊ，ｉ（ｔ）の関数であり、Ｓｍ，ｉ（ｔ）は、通常基地局の相応のユーザセットにおけるｉ番目のユーザを伝送元とすべきデータ総量を表し、ｆ（Ｓｍ，ｉ（ｔ））は、Ｓｍ，ｉ（ｔ）の関数である。【００２４】
無線ネットワークであって、
通常基地局ユーザのフィードバック情報に基づいて、スケジューリングを行って、該通常基地局の実際の伝送特性に関するパラメータが含まれる該通常基地局のユーザスケジューリング結果を得、該通常基地局のカバー範囲内にある１つまたは複数の低電力基地局の、通常基地局送信無しの場合および通常基地局送信有りの場合それぞれでの、各低電力基地局の実際の伝送特性に関するパラメータが含まれる性能推定パラメータを取得し、前記性能推定パラメータと前記通常基地局のユーザスケジューリング結果とに基づいて、通常基地局送信無しの場合での全ての送信ポイントの重み付けスループットと、通常基地局送信有りの場合での全ての送信ポイントの重み付けスループットとを決定し、前記全ての送信ポイントの重み付けスループットを比較して、送信判定結果を得、前記送信判定結果に基づいて、データ送信を行う通常基地局と、
自局のユーザのフィードバック情報に基づいて、プリスケジューリングを行って、通常基地局送信無しの場合での第１ユーザセットＡＰｊと、通常基地局送信有りの場合での第２ユーザセットＢＰｊとを得、第１ユーザセットＡＰｊおよび第２ユーザセットＢＰｊに対して、性能推定をぞれぞれ行って、得られた性能推定パラメータを前記通常基地局へフィードバックする前記１つまたは複数の低電力基地局と、を含む。
前記通常基地局は、さらに、前記送信判定結果を前記１つまたは複数の低電力基地局へフィードバックし、
前記低電力基地局は、さらに、前記送信判定結果に基づいて、第１ユーザセットＡＰｊおよび第２ユーザセットＢＰｊの中から、相応のユーザセットを決定して、データ送信を行う。【００２５】
通常基地局と該通常基地局のカバー領域内にある１つまたは複数の低電力基地局とを送信ポイントとして少なくとも含む無線ネットワークにおけるセル間干渉調整方法であって、
前記通常基地局が、現在時刻ｔでの送信判定結果に基づいて、該通常基地局の第１時刻ｔ１でのスループットを決定するステップＡと、
前記通常基地局が、前記１つまたは複数の低電力基地局の第１時刻ｔ１でのスループットを取得するステップＢと、
前記通常基地局が、全ての送信ポイントの第１時刻ｔ１でのスループットと、第１時刻より前の第２時刻ｔ２でのスループットとの比較結果に基づいて、次の時刻ｔ＋１での送信判定結果を決定することにより、前記送信判定結果に基づいて、次の時刻ｔ＋１で、通常基地局送信無しまたは通常基地局送信有りに応じる動作が実行できるようにするステップＣと、を含む。【００２６】
前記ステップＡは、
現在時刻ｔでの送信判定結果が通常基地局送信無しである場合、前記通常基地局が、現在時刻ｔでの推定スループットＣｍ（ｔ）を０に設定し、
現在時刻ｔでの送信判定結果が通常基地局送信有りである場合、前記通常基地局が、通常基地局のユーザスケジューリングを行って、現在時刻ｔでの推定スループットＣｍ（ｔ）を得る、ことを含む。【００２７】
前記ステップＢは、
現在時刻ｔでの送信判定結果が通常基地局送信無しである場合、前記通常基地局が、通常基地局送信無しに応じて、低電力基地局のユーザスケジューリングを行って、前記１つまたは複数の低電力基地局の現在時刻ｔでの推定スループット合計
【数５７】
2012157519.tif 000059
を得、
現在時刻ｔでの送信判定結果が通常基地局送信有りである場合、前記通常基地局が、通常基地局送信有りに応じて、低電力基地局のユーザスケジューリングを行って、前記１つまたは複数の低電力基地局の現在時刻ｔでの推定スループット合計
【数５８】
2012157519.tif 000060
を得る、ことを含む。【００２８】
前記ステップＢは、
現在時刻ｔでの送信判定結果が通常基地局送信無しである場合、各低電力基地局が、通常基地局送信無しに応じて、該低電力基地局のユーザスケジューリングを行って、自局の現在時刻ｔでの推定スループットＣＰｊ（ｔ）を得て、前記通常基地局に送信し、
現在時刻ｔでの送信判定結果が通常基地局送信有りである場合、各低電力基地局が、通常基地局送信有りに応じて、該低電力基地局のユーザスケジューリングを行って、自局の現在時刻ｔでの推定スループットＣＰｊ（ｔ）を得て、前記通常基地局に送信する、ことを含む。【００２９】
前記ステップＣは、
前記通常基地局が、現在時刻ｔでの総推定スループット
【数５９】
2012157519.tif 000061
と、前の時刻ｔ−１での総推定スループット
【数６０】
2012157519.tif 000062
とを比較し、
【数６１】
2012157519.tif 000063
前記通常基地局が、現在時刻ｔでの送信判定結果の通りに、次の時刻ｔ＋１での送信判定結果を設定し、
【数６２】
2012157519.tif 000064
前記通常基地局が、次の時刻ｔ＋１での送信判定結果を、現在時刻ｔでの送信判定結果と反対になるように設定する、ことを含む。【００３０】
前記ステップＣは、
前記通常基地局が、第１時刻ｔ−τでの実際スループット
【数６３】
2012157519.tif 000065
と、第２時刻ｔ−τ−１での実際スループット
【数６４】
2012157519.tif 000066
とを比較し、
第１時刻ｔ−τでの実際スループットが第２時刻ｔ−τ−１での実際スループットより大きい場合、前記通常基地局が、現在時刻ｔでの送信判定結果の通りに、次の時刻ｔ＋１での送信判定結果を設定し、
第１時刻ｔ−τでの実際スループットが第２時刻ｔ−τ−１での実際スループットより大きくない場合、前記通常基地局が、次の時刻ｔ＋１での送信判定結果を、現在時刻ｔでの送信判定結果と反対になるように設定する、ことを含み、
ここで、Ｄｍ，ｉは、通常基地局のｉ番目のユーザの実際の送信データ量であり、ＤＰｊ，ｉは、ｊ番目の低電力基地局のｉ番目のユーザの実際の送信データ量であり、ＡＮｍ，ｉは、通常基地局のｉ番目のユーザの相応データの正確受信指示情報であり、ＡＮＰｊ，ｉは、ｊ番目の低電力基地局のｉ番目のユーザの相応データの正確受信指示情報であり、τは、正確受信指示情報のフィードバック時間遅延である。
【発明の効果】
【００３１】
本発明の実施例で提供された方法、基地局および無線ネットワークを採用することにより、セル間干渉調整の性能がより良く保障される。
【図面の簡単な説明】
【００３２】
【図１】本発明の１つの実施例における異種ネットワークのセル間干渉調整方法のフローチャートである。
【図２】本発明の１つの実施例における異種ネットワークのセル間干渉調整方法のフローチャートである。
【図３】本発明の１つの実施例における異種ネットワークのセル間干渉調整方法のフローチャートである。
【図４】本発明の１つの実施例における異種ネットワークのセル間干渉調整方法のフローチャートである。
【図５】本発明の１つの実施例における異種ネットワークのセル間干渉調整方法のフローチャートである。
【図６】本発明の１つの実施例における異種ネットワークのセル間干渉調整方法のフローチャートである。
【図７】本発明の１つの実施例における異種ネットワークのセル間干渉調整方法のフローチャートである。
【図８】本発明の１つの実施例における異種ネットワークのセル間干渉調整方法のフローチャートである。
【図９】本発明の１つの実施例における異種ネットワークのセル間干渉調整方法のフローチャートである。
【図１０】本発明の１つの実施例における異種ネットワークのセル間干渉調整方法のフローチャートである。
【図１１】本発明の１つの実施例における通常基地局の構成を示す図である。
【図１２】本発明の１つの実施例における通常基地局の構成を示す図である。
【図１３】本発明の１つの実施例における通常基地局の構成を示す図である。
【発明を実施するための形態】
【００３３】
本発明の目的、解決手段およびメリットをさらに明確にするために、以下、図面を参照して実施例を挙げながら、本発明をさらに詳しく説明する。
【００３４】
動的セル間干渉調整（ｅＩＣＩＣ）は、セルの総スループットを向上させるように、各ＴＴＩまたは複数のＴＴＩで、マクロ基地局の開閉状態を動的に決定するため、半静的ｅＩＣＩＣに対して、性能向上がある。動的ｅＩＣＩＣは、マクロ基地局の開閉状態を決定するとき、マクロ基地局送信無し（ｍａｃｒｏ  ｍｕｔｅ）とマクロ基地局送信有り（ｍａｃｒｏ  ｎｏｎ−ｍｕｔｅ）との２つの場合でのセル性能を比較する必要がある。説明すべきものとして、マクロ基地局の閉状態は、マクロ基地局送信無しの場合に対応し、マクロ基地局の開状態は、マクロ基地局送信有りの場合に対応する。性能比較の公平性を保証するために、異種ネットワークにおける各送信ポイントまたは基地局（例えば、マクロ基地局などの通常基地局、または、ピコ基地局などの低電力基地局）のいずれも、自分のセル内で、プロポーショナルフェア（ＰＦ：Ｐｒｏｐｏｒｔｉｏｎａｌ  Ｆａｉｒ）アルゴリズムを採用して、自分のセルのユーザをスケジューリングする。マクロ基地局は、送信判定（ｍｕｔｉｎｇ  ｄｅｃｉｓｉｏｎ）を行う際に、プロポーショナルフェアスケジューリング後、マクロ基地局送信無しとマクロ基地局送信有りとの２つの場合での全ての送信ポイントの優先度値の合計を比較して、優先度が高い状態を選択する。
【００３５】
具体的に、本発明では、無線ネットワークにおけるセル間干渉調整方法が提供されている。前記無線ネットワークは、下記の送信ポイント、即ち、通常基地局、および該通常基地局のカバー領域内にある１つまたは複数の低電力基地局、を少なくとも含む。該方法は、
前記通常基地局が、通常基地局ユーザのフィードバック情報に基づいて、スケジューリングを行って、該通常基地局の実際の伝送特性に関するパラメータが含まれる該通常基地局のユーザスケジューリング結果を得るステップＡと、
前記通常基地局が、前記１つまたは複数の低電力基地局の、通常基地局送信無しの場合および通常基地局送信有りの場合それぞれでの、各低電力基地局の実際の伝送特性に関するパラメータが含まれる性能推定パラメータを取得するステップＢと、
前記性能推定パラメータと前記通常基地局のユーザスケジューリング結果とに基づいて、前記通常基地局が、通常基地局送信無しの場合での全ての送信ポイントの重み付けスループットと、通常基地局送信有りの場合での全ての送信ポイントの重み付けスループットとを決定するステップＣと、
前記通常基地局が、前記全ての送信ポイントの重み付けスループットを比較して、送信判定結果を得、前記送信判定結果に基づいて、データ送信を行うステップＤと、を含む。
【００３６】
ここで、無線ネットワークは、異種ネットワークであってもよく、ほかのタイプのネットワークであってもよい。
【００３７】
説明すべきものとして、異なる送信ポイントの実際の伝送特性は、各送信ポイントの接続ユーザ数、各送信ポイントの全てのユーザのスループット合計、通常基地局送信有無に関するフレーム数情報、各送信ポイントのユーザを伝送先とすべきデータ総量、各送信ポイントのユーザを伝送元とすべきデータ総量など、または上記のいずれかのパラメータの関数で表すことができる。ここから分かるように、本発明の実施例で提供された送信判定結果は、異なる送信ポイントの実際の伝送特性が考慮されるので、より公平かつ合理的になる。これにより、セル間干渉調整の性能がより良く保障される。
【００３８】
図１は、本発明の１つの実施例における異種ネットワークのセル間干渉調整方法を示す。該方法は、下記のステップを含む。
【００３９】
ステップ１０１で、マクロ基地局（ＭｅＮＢ）は、マクロ基地局ユーザ（ＭＵＥ）のフィードバック情報に基づいて、スケジューリングを行って、ユーザセットＭを得る。ここで、ステップ１０１は、ＭｅＮＢに設けられるＭＵＥスケジューリングモジュールにより実現することができ、ユーザセットＭは、ＭｅＮＢでスケジューリングされたＭＵＥを含む。
【００４０】
ステップ１０２で、ピコ基地局（ＰｅＮＢ）は、ピコ基地局ユーザ（ＰＵＥ）のフィードバック情報を取得して、ＭｅＮＢに提供する。
【００４１】
具体的に、ＰＵＥのフィードバック情報は、例えば、各ＰＵＥのチャネル品質指示（ＣＱＩ：ｃｈａｎｎｅｌ  ｑｕａｌｉｔｙ  ｉｎｄｉｃａｔｏｒ）、プリコーディング行列指示（ＰＭＩ：ｐｒｅｃｏｄｉｎｇ  ｍａｔｒｉｘ  ｉｎｄｉｃａｔｏｒ）などを含むことができる。
【００４２】
ステップ１０３で、ＭｅＮＢは、各ＰｅＮＢごとに、マクロ基地局送信無し（ＭｅＮＢ  ｍｕｔｅ）とマクロ基地局送信有り（ＭｅＮＢ  ｎｏｎ−ｍｕｔｅ）との２つの場合のそれぞれに対して、スケジューリングを行って、ユーザセットＡとユーザセットＢとを生成し、この２つのユーザセットに対して、性能推定をそれぞれ行って、相応の性能推定パラメータを得る。
【００４３】
具体的に、ユーザセットＡは、ＭｅＮＢ  ｍｕｔｅの場合にＰｅＮＢでスケジューリングされたＰＵＥを含む。該ユーザセットは、ＭｅＮＢ  ｍｕｔｅの場合での全てのＰＵＥのフィードバック情報に基づいて決定されたものである。ユーザセットＢは、ＭｅＮＢ  ｎｏｎ−ｍｕｔｅの場合にＰｅＮＢでスケジューリングされたＰＵＥを含む。該ユーザセットは、ＭｅＮＢ  ｎｏｎ−ｍｕｔｅの場合での全てのＰＵＥのフィードバック情報に基づいて決定されたものである。また、性能推定パラメータは、下記のパラメータ、即ち、ユーザセットＡにおける全てのユーザのスループットの重み付け和
【数６５】
2012157519.tif 000067
（ＰｅＮＢのマクロ基地局送信無し重み付けスループットとも呼ばれる）、ユーザセットＢにおける全てのユーザのスループットの重み付け和
【数６６】
2012157519.tif 000068
（ＰｅＮＢのマクロ基地局送信有り重み付けスループットとも呼ばれる）、接続ユーザ数ＮＰｊ（ｊ番目のＰｅＮＢのＰＵＥ数を表す）のうちの少なくとも１つを含むことができる。ここで、ｔは、現在時刻を表し、ｉは、ユーザ番号であり、ｊは、ＰｅＮＢの番号であり、Ｐｊは、ｊ番目のＰｅＮＢを表し、ＡＰｊは、ｊ番目のＰｅＮＢのユーザセットＡを表し、ＢＰｊは、ｊ番目のＰｅＮＢのユーザセットＢを表し、
【数６７】
2012157519.tif 000069
は、マクロ基地局送信無しの場合でのｊ番目のＰｅＮＢの相応のユーザセットにおけるｉ番目のユーザのスループットを表し、
【数６８】
2012157519.tif 000070
は、マクロ基地局送信有りの場合でのｊ番目のＰｅＮＢの相応のユーザセットにおけるｉ番目のユーザのスループットを表し、
【数６９】
2012157519.tif 000071
は、ｊ番目のＰｅＮＢの相応のユーザセットにおけるｉ番目のユーザの平均スループットを表す。また、ステップ１０３は、ＭｅＮＢに設けられるＰＵＥ性能推定モジュールにより実現することができる。
【００４４】
ステップ１０４で、ＭｅＮＢは、該ＭｅＮＢのカバー領域にある１つまたは複数のＰｅＮＢの性能推定パラメータと、該ＭｅＮＢによるＭＵＥへのスケジューリング結果とに基づいて、ＭｅＮＢ  ｍｕｔｅとＭｅＮＢ  ｎｏｎ−ｍｕｔｅとの２つの場合での優先度を比較し、優先度の比較から、送信判定結果を得る。例えば、マクロ基地局送信無しの場合での優先度が大きい場合、送信判定結果は、ＭｅＮＢがデータを送信しないという結果になり、逆の場合、送信判定結果は、ＭｅＮＢがデータを送信するという結果になる。
【００４５】
ここで、ステップ１０４は、ＭｅＮＢに設けられる送信判定モジュールにより実現することができる。また、ステップ１０４において、ＰＵＥ性能推定モジュールにより、１つまたは複数のＰｅＮＢの性能推定パラメータを、該送信判定モジュールへ伝送してもよく、ＭＵＥスケジューリングモジュールにより、下記のスケジューリング結果、即ち、ＭｅＮＢでスケジューリングされた全てのユーザのスループットの重み付け和
【数７０】
2012157519.tif 000072
（ＭｅＮＢのマクロ基地局送信有り重み付けスループットとも呼ばれる）、接続ユーザ数Ｎｍ（ＭＵＥ数とも呼ばれる）のうちの少なくとも１つを、該送信判定モジュールへ伝送してもよい。ここで、Ｍｍは、ＭｅＮＢでスケジューリングされたユーザセットＭを表し、Ｒｍ，ｉは、マクロ基地局送信有りの場合でのＭｅＮＢの相応のユーザセットにおけるｉ番目のユーザのスループットを表し、
【数７１】
2012157519.tif 000073
は、ＭｅＮＢの相応のユーザセットにおけるｉ番目のユーザの平均スループットを表す。
【００４６】
具体的に、ＭｅＮＢ  ｍｕｔｅの場合での１つの優先度計算方法は、下記の通りである。即ち、全てのＰｅＮＢのマクロ基地局送信無し重み付けスループットを相応のＰｅＮＢのＰＵＥ数で割った値を合計して、ＭｅＮＢ  ｍｕｔｅの場合での優先度
【数７２】
2012157519.tif 000074
を得る。ここで、ＮＰｅＮＢは、ＰｅＮＢの数であり、ｆ（ＮＰｊ）は、ＮＰｊの関数である。
【００４７】
ＭｅＮＢ  ｎｏｎ−ｍｕｔｅの場合での１つの優先度計算方法は、下記の通りである。即ち、全てのＰｅＮＢのマクロ基地局送信有り重み付けスループットを相応のＰｅＮＢのＰＵＥ数で割った値の合計に、ＭｅＮＢのマクロ基地局送信有り重み付けスループットを該ＭｅＮＢのＭＵＥ数で割った値を加えて、ＭｅＮＢ  ｎｏｎ−ｍｕｔｅの場合での優先度
【数７３】
2012157519.tif 000075
を得る。ここで、ｆ（Ｎｍ）は、Ｎｍの関数である。
【００４８】
ステップ１０５で、送信判定モジュールは、送信判定結果をＭｅＮＢにおける送信スイッチに伝送する。これにより、該ＭｅＮＢのデータ送信を相応に制御する。
【００４９】
ステップ１０６および１０７で、ＭｅＮＢの送信判定モジュールは、送信判定結果を１つまたは複数のＰｅＮＢへフィードバックし、ＰｅＮＢは、受信された結果に基づいて、ＰＵＥスケジューリングを行って、相応のデータ送信を実行する。
【００５０】
説明すべきものとして、図１に示すフローおよび下記のほかの実施例において、各ステップの間に、必ず前後の順序が存在しているわけではない。例えば、ステップ１０２、１０３の実行とステップ１０１の実行とは、互いに独立であり、前後の順序に関係ない。また、例えば、ステップ１０６、１０７の実行とステップ１０５の実行とは同様に、前後の順序に関係ない。
【００５１】
図２も、本発明の１つの実施例における異種ネットワークのセル間干渉調整方法を示す。
【００５２】
ここで、ステップ２０１〜２０４は、図１におけるステップ１０１〜１０４にそれぞれ対応する。即ち、ステップ２０１は、ステップ１０１に類似し、ステップ２０２は、ステップ１０２に類似し、ステップ２０３は、ステップ１０３に類似し、ステップ２０４は、ステップ１０４に類似する。
説明すべきものとして、図１における各ステップと異なるのは、下記の通りである。
【００５３】
ステップ２０１で、ＭｅＮＢにおけるＭＵＥスケジューリングモジュールは、マクロ基地局ユーザのフィードバック情報に基づいて、スケジューリングを行った後、下記のスケジューリング結果、即ち、ＭｅＮＢでスケジューリングされた全てのユーザのスループット合計
【数７４】
2012157519.tif 000076
（ＭｅＮＢのマクロ基地局送信有りスループットとも呼ばれる）、ＭｅＮＢの過去時刻での平均スループット
【数７５】
2012157519.tif 000077
のうちの少なくとも１つを、該ＭｅＮＢにおける送信判定モジュールへ伝送する。ステップ２０３で、ＭｅＮＢのＰＵＥ性能推定モジュールは、ステップ２０２でＰｅＮＢから取得されたＰＵＥのフィードバック情報に基づいて、性能推定を行って、１つまたは複数のＰｅＮＢの性能推定パラメータを得て、該ＭｅＮＢの送信判定モジュールへ提供する。
【００５４】
ここで、各ＰｅＮＢの性能推定パラメータは、下記のパラメータ、即ち、ユーザセットＡにおける全てのユーザのスループット合計
【数７６】
2012157519.tif 000078
（ＰｅＮＢのマクロ基地局送信無しスループットとも呼ばれる）、ユーザセットＢにおける全てのユーザのスループット合計
【数７７】
2012157519.tif 000079
（ＰｅＮＢのマクロ基地局送信有りスループットとも呼ばれる）、ＰｅＮＢの過去時刻での平均スループット
【数７８】
2012157519.tif 000080
のうちの少なくとも１つを含む。ステップ２０４で、送信判定モジュールは、下記の方法に従って、ＭｅＮＢ  ｍｕｔｅとＭｅＮＢ  ｎｏｎ−ｍｕｔｅとの２つの場合での優先度を計算することで、送信判定結果を得る。
【００５５】
ここで、ＭｅＮＢ  ｍｕｔｅの場合での優先度計算方法は、下記の通りである。即ち、全てのＰｅＮＢのマクロ基地局送信無しスループットを相応のＰｅＮＢの平均スループットで割った値を合計して、ＭｅＮＢ  ｍｕｔｅの場合での優先度
【数７９】
2012157519.tif 000081
を得る。
【００５６】
ＭｅＮＢ  ｎｏｎ−ｍｕｔｅの場合での優先度計算方法は、下記の通りである。即ち、全てのＰｅＮＢのマクロ基地局送信有りスループットを相応のＰｅＮＢの平均スループットで割った値の合計に、ＭｅＮＢのマクロ基地局送信有りスループットを該ＭｅＮＢの平均スループットで割った値を加えて、ＭｅＮＢ  ｎｏｎ−ｍｕｔｅの場合での優先度
【数８０】
2012157519.tif 000082
を得る。ここで、
【数８１】
2012157519.tif 000083
であり、
【数８２】
2012157519.tif 000084
である。
【００５７】
また、ステップ２０５〜２０７は、図１におけるステップ１０５〜１０７と同じであり、ここで説明を省略する。
【００５８】
ここから分かるように、本実施例において、送信判定結果では、異なる送信ポイントの全てのユーザの平均スループットの和が考慮されている。各送信ポイント（ＭｅＮＢと、１つまたは複数のＰｅＮＢとを含む）のプロポーショナルフェアスケジューリング後のスループットを、相応の送信ポイントの全てのユーザの平均スループットの和で割った値に基づいて、ＭｅＮＢ  ｍｕｔｅとＭｅＮＢ  ｎｏｎ−ｍｕｔｅとの２つの場合での優先度を決定する。勿論、上記の数式における
【数８３】
2012157519.tif 000085
替えてもよい。つまり、優先度を決定する際に、異なる送信ポイントの全てのユーザの平均スループットの和の関数を考慮してもよい。
【００５９】
図３は、本発明の１つの実施例における異種ネットワークのセル間干渉調整方法を示す。該方法は、下記のステップを含む。
【００６０】
ステップ３０１で、ＭｅＮＢにおける送信記憶モジュールは、下記のフレーム数情報、即ち、総フレーム数Ｔ、送信有りフレーム数Ｔｎ、送信無しフレーム数Ｔｍのうちの少なくとも１つを、該ＭｅＮＢにおける送信判定モジュールへ伝送する。
【００６１】
ステップ３０２〜３０５は、図１におけるステップ１０１〜１０４にそれぞれ対応する。
【００６２】
説明すべきものとして、ステップ３０２で、ＭｅＮＢにおけるＭＵＥスケジューリングモジュールは、下記のスケジューリング結果、即ち、ＭｅＮＢでスケジューリングされた全てのユーザのスループット合計
【数８４】
2012157519.tif 000086
（ＭｅＮＢのマクロ基地局送信有りスループットとも呼ばれる）を、該ＭｅＮＢにおける送信判定モジュールへ伝送する。
【００６３】
ステップ３０４で、ＭｅＮＢのＰＵＥ性能推定モジュールは、ステップ３０３でＰｅＮＢから取得されたＰＵＥのフィードバック情報に基づいて、性能推定を行って、１つまたは複数のＰｅＮＢの性能推定パラメータを、該ＭｅＮＢの送信判定モジュールへ伝送する。
【００６４】
具体的に、前記性能推定パラメータは、下記のパラメータ、即ち、ユーザセットＡにおける全てのユーザのスループット合計
【数８５】
2012157519.tif 000087
（ＰｅＮＢのマクロ基地局送信無しスループットとも呼ばれる）、ユーザセットＢにおける全てのユーザのスループット合計
【数８６】
2012157519.tif 000088
（ＰｅＮＢのマクロ基地局送信有りスループットとも呼ばれる）のうちの少なくとも１つを含むことができる。ステップ３０５で、送信判定モジュールは、下記の方法に従って、ＭｅＮＢ  ｍｕｔｅとＭｅＮＢ  ｎｏｎ−ｍｕｔｅとの２つの場合での優先度を計算することで、送信判定結果を得る。
【００６５】
具体的に、ＭｅＮＢ  ｍｕｔｅの場合での優先度計算方法は、下記の通りである。即ち、全てのＰｅＮＢのマクロ基地局送信無しスループットの合計に、総フレーム数と送信無しフレーム数との差を掛けて、ＭｅＮＢ  ｍｕｔｅの場合での優先度
【数８７】
2012157519.tif 000089
を得る。
【００６６】
ＭｅＮＢ  ｎｏｎ−ｍｕｔｅの場合での優先度計算方法は、下記の通りである。即ち、全てのＰｅＮＢのマクロ基地局送信有りスループットの合計とＭｅＮＢのマクロ基地局送信有りスループットとの和に、総フレーム数と送信有りフレーム数との差を掛けて、ＭｅＮＢ  ｎｏｎ−ｍｕｔｅの場合での優先度
【数８８】
2012157519.tif 000090
を得る。ここで、ｆ１（Ｔ，Ｔｍ，Ｔｎ）およびｆ２（Ｔ，Ｔｍ，Ｔｎ）は、いずれもＴ、Ｔｍ、Ｔｎの関数である。
【００６７】
ステップ３０６〜３０８は、図１におけるステップ１０５〜１０７と同じであり、ここで説明を省略する。
【００６８】
ステップ３０９で、送信判定モジュールは、送信判定結果を該ＭｅＮＢの送信記憶モジュールに提供し、前記送信記憶モジュールは、フレーム数情報を更新する。
【００６９】
例えば、送信判定結果がマクロ基地局送信無しである場合、総フレーム数Ｔを１加算して、送信無しフレーム数Ｔｍも１加算し、送信判定結果がマクロ基地局送信有りである場合、総フレーム数Ｔを１加算して、送信有りフレーム数Ｔｎも１加算する。
【００７０】
ここからわかるように、本実施例の方法では、マクロ基地局の送信履歴が考慮されている。マクロ基地局送信無しの状況が比較的頻繁である場合、マクロ基地局送信無しが再度発生する確率は低いが、マクロ基地局送信無しの状況が比較的頻繁でない場合、マクロ基地局送信無しが発生する確率は高い。
【００７１】
図４は、本発明の１つの実施例における異種ネットワークのセル間干渉調整方法を示す。該方法は、下記のステップを含む。
【００７２】
ステップ４０１は、図３におけるステップ３０１と同じであり、ここで説明を省略する。
【００７３】
ステップ４０２で、ＭｅＮＢにおけるＭＵＥスケジューリングモジュールは、下記のスケジューリング結果、即ち、ＭｅＮＢでスケジューリングされた全てのユーザのスループットの重み付け和
【数８９】
2012157519.tif 000091
（ＭｅＮＢのマクロ基地局送信無し重み付けスループットとも呼ばれる）を、該ＭｅＮＢにおける送信判定モジュールへ伝送する。
【００７４】
ステップ４０４で、ＭｅＮＢのＰＵＥ性能推定モジュールは、ステップ４０３でＰｅＮＢから取得されたＰＵＥのフィードバック情報に基づいて、性能推定を行って、１つまたは複数のＰｅＮＢの下記の性能推定パラメータ、即ち、ユーザセットＡにおける全てのユーザのスループットの重み付け和
【数９０】
2012157519.tif 000092
（ＰｅＮＢのマクロ基地局送信無し重み付けスループットとも呼ばれる）、ユーザセットＢにおける全てのユーザのスループットの重み付け和
【数９１】
2012157519.tif 000093
（ＰｅＮＢのマクロ基地局送信有り重み付けスループットとも呼ばれる）のうちの少なくとも１つを、該ＭｅＮＢにおける送信判定モジュールへ伝送する。
【００７５】
ステップ４０５で、送信判定モジュールは、下記の方法に従って、ＭｅＮＢ  ｍｕｔｅとＭｅＮＢ  ｎｏｎ−ｍｕｔｅとの２つの場合での優先度を計算することで、送信判定結果を得る。
【００７６】
具体的に、ＭｅＮＢ  ｍｕｔｅの場合での優先度計算方法は、下記の通りである。即ち、全てのＰｅＮＢのマクロ基地局送信無し重み付けスループットの合計に、総フレーム数と送信無しフレーム数との差を掛けて、ＭｅＮＢ  ｍｕｔｅの場合での優先度
【数９２】
2012157519.tif 000094
を得る。
【００７７】
ＭｅＮＢ  ｎｏｎ−ｍｕｔｅの場合の優先度計算方法は、下記の通りである。即ち、全てのＰｅＮＢのマクロ基地局送信有り重み付けスループットの合計と、ＭｅＮＢのマクロ基地局送信有り重み付けスループットとの和に、総フレーム数と送信有りフレーム数との差を掛けて、ＭｅＮＢ  ｎｏｎ−ｍｕｔｅの場合での優先度
【数９３】
2012157519.tif 000095
を得る。ここで、ｆ１（Ｔ，Ｔｍ，Ｔｎ）およびｆ２（Ｔ，Ｔｍ，Ｔｎ）は、いずれもＴ、Ｔｍ、Ｔｎの関数である。
【００７８】
ステップ４０６〜４０９は、図３におけるステップ３０６〜３０９と同じであり、ここで説明を省略する。
【００７９】
図５〜図８のフローは、それぞれ図１〜図４に対応し、相違点は、図５〜図８において、ＰｅＮＢが性能推定パラメータを直接にＭｅＮＢに提供する、ことにある。相応に、ＭｅＮＢは、１つまたは複数のＰｅＮＢのために性能推定を行う必要がなくなる。
【００８０】
図５は、本発明の１つの実施例における異種ネットワークのセル間干渉調整方法を示す。該方法は、下記のステップを含む。
【００８１】
ステップ５０１で、ＭｅＮＢにおけるＭＵＥスケジューリングモジュールは、ＭＵＥのフィードバック情報に基づいて、スケジューリングを行って、ユーザセットＭを得、下記のスケジューリング結果、即ち、ＭｅＮＢでスケジューリングされた全てのユーザのスループットの重み付け和
【数９４】
2012157519.tif 000096
（ＭｅＮＢのマクロ基地局送信有り重み付けスループットとも呼ばれる）、接続ユーザ数Ｎｍ（ＭＵＥ数とも呼ばれる）のうちの少なくとも１つを、該ＭｅＮＢにおける送信判定モジュールへ伝送する。
【００８２】
ステップ５０２において、ＰｅＮＢは、ＰＵＥのフィードバック情報（例えば、ＰＵＥのＣＱＩ、ＰＭＩなど）に基づいて、マクロ基地局送信無し（ＭｅＮＢ  ｍｕｔｅ）とマクロ基地局送信有り（ＭｅＮＢ  ｎｏｎ−ｍｕｔｅ）との２つの場合のぞれぞれに対して、プリスケジューリングを行って、ユーザセットＡとユーザセットＢとを生成する。
【００８３】
具体的に、ユーザセットＡは、ＭｅＮＢ  ｍｕｔｅの場合での全てのＰＵＥのフィードバック情報に基づいて決定されたものであり、ＭｅＮＢ  ｍｕｔｅの場合にＰｅＮＢでスケジューリングされたＰＵＥを含む。ユーザセットＢは、ＭｅＮＢ  ｎｏｎ−ｍｕｔｅの場合での全てのＰＵＥのフィードバック情報に基づいて決定されたものであり、ＭｅＮＢ  ｎｏｎ−ｍｕｔｅの場合にＰｅＮＢでスケジューリングされたＰＵＥを含む。
【００８４】
ステップ５０３で、ＰｅＮＢは、下記の性能推定パラメータ、即ち、ユーザセットＡにおける全てのユーザのスループットの重み付け和
【数９５】
2012157519.tif 000097
（ＰｅＮＢのマクロ基地局送信無し重み付けスループットとも呼ばれる）、ユーザセットＢにおける全てのユーザのスループットの重み付け和
【数９６】
2012157519.tif 000098
（ＰｅＮＢのマクロ基地局送信有り重み付けスループットとも呼ばれる）、接続ユーザ数ＮＰｊ（ＰＵＥ数とも呼ばれる）のうちの少なくとも１つを、ＭｅＮＢへフィードバックする。
【００８５】
ステップ５０４で、送信判定モジュールは、該ＭｅＮＢのカバー領域にある１つまたは複数のＰｅＮＢのフィードバックと、ＭＵＥスケジューリングモジュールから伝送されたスケジューリング結果とに基づいて、ＭｅＮＢ  ｍｕｔｅとＭｅＮＢ  ｎｏｎ−ｍｕｔｅとの２つの場合での優先度を比較し、優先度の比較から、送信判定結果を得る。例えば、マクロ基地局送信無しの場合での優先度が大きい場合、送信判定結果は、ＭｅＮＢがデータを送信しないという結果になり、逆の場合、送信判定結果は、ＭｅＮＢがデータを送信するという結果になる。
【００８６】
具体的に、ＭｅＮＢ  ｍｕｔｅの場合での１つの優先度計算方法は、下記の通りである。即ち、全てのＰｅＮＢからフィードバックされたマクロ基地局送信無し重み付けスループットを相応のＰｅＮＢのＰＵＥ数で割った値を合計して、ＭｅＮＢ  ｍｕｔｅの場合での優先度
【数９７】
2012157519.tif 000099
を得る。
【００８７】
ＭｅＮＢ  ｎｏｎ−ｍｕｔｅの場合での１つの優先度計算方法は、下記の通りである。即ち、全てのＰｅＮＢからフィードバックされたマクロ基地局送信有り重み付けスループットを相応のＰｅＮＢのＰＵＥ数で割った値の合計に、ＭｅＮＢのマクロ基地局送信有り重み付けスループットを該ＭｅＮＢのＭＵＥ数で割った値を加えて、ＭｅＮＢ  ｎｏｎ−ｍｕｔｅの場合での優先度
【数９８】
2012157519.tif 000100
を得る。
【００８８】
ステップ５０５で、送信判定モジュールは、該送信判定結果をＭｅＮＢにおける送信スイッチに伝送する。これにより、該ＭｅＮＢのデータ送信を相応に制御する。送信判定結果がＭｅＮＢ送信無しである場合、送信スイッチは、ＭｅＮＢのデータ送信をオフにして、送信判定結果がＭｅＮＢ送信有りである場合、送信スイッチは、ＭｅＮＢのデータ送信をオンにする。
【００８９】
ステップ５０６〜５０７で、送信判定モジュールは、該送信判定結果を１つまたは複数のＰｅＮＢへフィードバックし、ＰｅＮＢは、受信された結果に基づいて、データ送信を行う。
【００９０】
具体的に、送信判定結果がＭｅＮＢ送信無しである場合、ＰｅＮＢは、ユーザセットＡに基づいて、ユーザをスケジューリングして、データを送信する。送信判定結果がＭｅＮＢ送信有りである場合、ＰｅＮＢは、ユーザセットＢに基づいて、データ送信を行う。ステップ１０６と異なるのは、ステップ５０６において、ＰｅＮＢは、ＰＵＥスケジューリングを行う必要がないが、直接にユーザセットＡおよびユーザセットＢの中から、相応のユーザセットを決定して、データ送信を行う。
【００９１】
ここから分かるように、本実施例の方法では、各送信ポイントの異なる接続ユーザ数と、接続されたユーザの異なる信号対干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）とが考慮されている。マクロ基地局の送信判定を行う際に、各送信ポイントのプロポーショナルフェアスケジューリング後の優先度を、相応の送信ポイントの接続ユーザ数（または、接続ユーザ数に関する関数）で割ることにより、送信判定は、より公平になる。つまり、本実施例の方法を採用することで、接続ユーザ数の相違および／またはＳＩＮＲの相違に起因するマクロ基地局送信無しの比率が高くまたは低いという問題を克服することができる。
【００９２】
図６は、本発明の１つの実施例における異種ネットワークのセル間干渉調整方法を示す。該方法は、下記のステップを含む。
【００９３】
ステップ６０１〜６０４は、図５におけるステップ５０１〜５０４にそれぞれ対応する。
【００９４】
説明すべきものとして、ステップ６０１で、ＭｅＮＢにおけるＭＵＥスケジューリングモジュールは、マクロ基地局ユーザのフィードバック情報に基づいて、スケジューリングを行った後、下記のスケジューリング結果、即ち、ＭｅＮＢでスケジューリングされた全てのユーザのスループット合計
【数９９】
2012157519.tif 000101
（ＭｅＮＢのマクロ基地局送信有りスループットとも呼ばれる）、ＭｅＮＢの過去時刻での平均スループット
【数１００】
2012157519.tif 000102
を、該ＭｅＮＢにおける送信判定モジュールへ伝送する。
ステップ６０３で、ＰｅＮＢは、下記の性能推定パラメータ、即ち、ユーザセットＡにおける全てのユーザのスループット合計
【数１０１】
2012157519.tif 000103
（ＰｅＮＢのマクロ基地局送信無しスループットとも呼ばれる）、ユーザセットＢにおける全てのユーザのスループット合計
【数１０２】
2012157519.tif 000104
（ＰｅＮＢのマクロ基地局送信有りスループットとも呼ばれる）、ＰｅＮＢの過去時刻での平均スループット
【数１０３】
2012157519.tif 000105
のうちの少なくとも１つを、ＭｅＮＢへフィードバックする。ステップ６０４で、送信判定モジュールは、下記の方法に従って、ＭｅＮＢ  ｍｕｔｅとＭｅＮＢ  ｎｏｎ−ｍｕｔｅとの２つの場合での優先度を計算することで、送信判定結果を得る。
【００９５】
具体的に、ＭｅＮＢ  ｍｕｔｅの場合での優先度計算方法は、下記の通りである。即ち、全てのＰｅＮＢからフィードバックされたマクロ基地局送信無しスループットを相応のＰｅＮＢの平均スループットで割った値を合計して、ＭｅＮＢ  ｍｕｔｅの場合での優先度
【数１０４】
2012157519.tif 000106
を得る。
【００９６】
ＭｅＮＢ  ｎｏｎ−ｍｕｔｅの場合での優先度計算方法は、下記の通りである。即ち、全てのＰｅＮＢからフィードバックされたマクロ基地局送信有りスループットを相応のＰｅＮＢの平均スループットで割った値の合計に、ＭｅＮＢのマクロ基地局送信有りスループットを該ＭｅＮＢの平均スループットで割った値を加えて、ＭｅＮＢ  ｎｏｎ−ｍｕｔｅの場合での優先度
【数１０５】
2012157519.tif 000107
を得る。ステップ６０５〜６０７は、図５におけるステップ５０５〜５０７と同じであり、ここで説明を省略する。
【００９７】
図７は、本発明の１つの実施例における異種ネットワークのセル間干渉調整方法を示す。該方法は、下記のステップを含む。
【００９８】
ステップ７０１で、ＭｅＮＢにおける送信記憶モジュールは、下記のフレーム数情報、即ち、総フレーム数Ｔ、送信有りフレーム数Ｔｎ、送信無しフレーム数Ｔｍのうちの少なくとも１つを、該ＭｅＮＢにおける送信判定モジュールへ伝送する。ステップ７０２〜７０５は、図５におけるステップ５０１〜５０４にそれぞれ対応する。
【００９９】
説明すべきものとして、ステップ７０２で、ＭｅＮＢにおけるＭＵＥスケジューリングモジュールは、下記のスケジューリング結果、即ち、ＭｅＮＢでスケジューリングされた全てのユーザのスループット合計
【数１０６】
2012157519.tif 000108
（ＭｅＮＢのマクロ基地局送信有りスループットとも呼ばれる）を、該ＭｅＮＢにおける送信判定モジュールへ伝送する。ステップ７０４で、ＰｅＮＢは、下記の性能推定パラメータ、即ち、ユーザセットＡにおける全てのユーザのスループット合計
【数１０７】
2012157519.tif 000109
（ＰｅＮＢのマクロ基地局送信無しスループットとも呼ばれる）、ユーザセットＢにおける全てのユーザのスループット合計
【数１０８】
2012157519.tif 000110
（ＰｅＮＢのマクロ基地局送信有りスループットとも呼ばれる）のうちの少なくとも１つを、ＭｅＮＢへフィードバックする。ステップ７０５で、送信判定モジュールは、下記の方法に従って、ＭｅＮＢ  ｍｕｔｅの場合およびＭｅＮＢ  ｎｏｎ−ｍｕｔｅの場合での優先度を計算することで、送信判定結果を得る。
【０１００】
具体的に、ＭｅＮＢ  ｍｕｔｅの場合での優先度計算方法は、下記の通りである。即ち、全てのＰｅＮＢからフィードバックされたマクロ基地局送信無しスループットの合計に、総フレーム数と送信無しフレーム数との差を掛けて、ＭｅＮＢ  ｍｕｔｅの場合での優先度
【数１０９】
2012157519.tif 000111
を得る。
【０１０１】
ＭｅＮＢ  ｎｏｎ−ｍｕｔｅの場合での優先度計算方法は、下記の通りである。即ち、全てのＰｅＮＢからフィードバックされたマクロ基地局送信有りスループットの合計とＭｅＮＢのマクロ基地局送信有りスループットとの和に、総フレーム数と送信有りフレーム数との差を掛けて、ＭｅＮＢ  ｎｏｎ−ｍｕｔｅの場合での優先度
【数１１０】
2012157519.tif 000112
を得る。
【０１０２】
ステップ７０６〜７０８は、図５におけるステップ５０５〜５０７と同じであり、ここで説明を省略する。
【０１０３】
ステップ７０９で、送信判定モジュールは、送信判定結果を該ＭｅＮＢの送信記憶モジュールに提供し、前記送信記憶モジュールは、フレーム数情報を更新する。
【０１０４】
図８は、本発明の１つの実施例における異種ネットワークのセル間干渉調整方法を示す。該方法は、下記のステップを含む。
【０１０５】
ステップ８０１は、図７におけるステップ７０１と同じであり、ここで説明を省略する。
【０１０６】
ステップ８０２〜８０５は、図５におけるステップ５０１〜５０４にそれぞれ対応する。
【０１０７】
説明すべきものとして、ステップ８０２で、ＭｅＮＢにおけるＭＵＥスケジューリングモジュールは、下記のスケジューリング結果、即ち、ＭｅＮＢでスケジューリングされた全てのユーザのスループットの重み付け和
【数１１１】
2012157519.tif 000113
（ＭｅＮＢのマクロ基地局送信有り重み付けスループットとも呼ばれる）を、該ＭｅＮＢにおける送信判定モジュールへ伝送する。
【０１０８】
ステップ８０４で、ＰｅＮＢは、下記の性能推定パラメータ、即ち、ユーザセットＡにおける全てのユーザのスループットの重み付け和
【数１１２】
2012157519.tif 000114
（ＰｅＮＢのマクロ基地局送信無し重み付けスループットとも呼ばれる）、ユーザセットＢにおける全てのユーザのスループットの重み付け和
【数１１３】
2012157519.tif 000115
（ＰｅＮＢのマクロ基地局送信有り重み付けスループットとも呼ばれる）のうちの少なくとも１つを、ＭｅＮＢへフィードバックする。
【０１０９】
ステップ８０５で、送信判定モジュールは、下記の方法に従って、ＭｅＮＢ  ｍｕｔｅの場合およびＭｅＮＢ  ｎｏｎ−ｍｕｔｅの場合での優先度を計算することで、送信判定結果を得る。
【０１１０】
具体的に、ＭｅＮＢ  ｍｕｔｅの場合での１つの優先度計算方法は、下記の通りである。即ち、全てのＰｅＮＢからフィードバックされたマクロ基地局送信無し重み付けスループットの合計に、総フレーム数と送信無しフレーム数との差を掛けて、ＭｅＮＢ  ｍｕｔｅの場合での優先度
【数１１４】
2012157519.tif 000116
を得る。ＭｅＮＢ  ｎｏｎ−ｍｕｔｅの場合での１つの優先度計算方法は、下記の通りである。即ち、全てのＰｅＮＢからフィードバックされたマクロ基地局送信有り重み付けスループットの合計とＭｅＮＢのマクロ基地局送信有り重み付けスループットとの和に、総フレーム数と送信有りフレーム数との差を掛けて、ＭｅＮＢ  ｎｏｎ−ｍｕｔｅの場合での優先度
【数１１５】
2012157519.tif 000117
を得る。ステップ８０６〜８０９は、図７におけるステップ７０６〜７０９と同じであり、ここで説明を省略する。
【０１１１】
本発明のほかの具体的な実現において、通常基地局は、数式
【数１１６】
2012157519.tif 000118
によって、通常基地局送信無しの場合での優先度を決定し、かつ、数式
【数１１７】
2012157519.tif 000119
によって、通常基地局送信有りの場合での優先度を決定することもできる。ここで、ＷＰｊ，ｉ（ｔ）は、ｊ番目の低電力基地局の相応のユーザセットにおけるｉ番目のユーザを伝送先とすべきデータ総量を表し、ｆ（ＷＰｊ，ｉ（ｔ））は、ＷＰｊ，ｉ（ｔ）の関数であり、Ｗｍ，ｉ（ｔ）は、通常基地局の相応のユーザセットにおけるｉ番目のユーザを伝送先とすべきデータ総量を表し、ｆ（Ｗｍ，ｉ（ｔ））は、Ｗｍ，ｉ（ｔ）の関数である。この場合、図１または図５に示すフローと比べて、通常基地局は、ＷＰｊ，ｉ（ｔ）、Ｗｍ，ｉ（ｔ）などのパラメータをさらに取得する必要がある。
【０１１２】
勿論、通常基地局は、数式
【数１１８】
2012157519.tif 000120
によって、通常基地局送信無しの場合での優先度を決定し、かつ、数式
【数１１９】
2012157519.tif 000121
によって、通常基地局送信有りの場合での優先度を決定することもできる。
【０１１３】
ここで、ＳＰｊ，ｉ（ｔ）は、ｊ番目の低電力基地局の相応のユーザセットにおけるｉ番目のユーザを伝送元とすべきデータ総量を表し、ｆ（ＳＰｊ，ｉ（ｔ））は、ＳＰｊ，ｉ（ｔ）の関数であり、Ｓｍ，ｉ（ｔ）は、通常基地局の相応のユーザセットにおけるｉ番目のユーザを伝送元とすべきデータ総量を表し、ｆ（Ｓｍ，ｉ（ｔ））は、Ｓｍ，ｉ（ｔ）の関数である。この場合、図１または図５に示すフローと比べて、通常基地局は、ＳＰｊ，ｉ（ｔ）、Ｓｍ，ｉ（ｔ）などのパラメータをさらに取得する必要がある。
【０１１４】
図９は、本発明の１つの実施例における異種ネットワークのセル間干渉調整方法を示す。該方法は、下記のステップを含む。
【０１１５】
ステップ９０１で、判定記憶モジュールから得られた現在時刻ｔでの送信判定結果ｄ（ｔ）に基づいて、ＭｅＮＢにおけるＭＵＥスケジューリングモジュールは、該ＭｅＮＢの前記現在時刻ｔでのスループットＣｍ（ｔ）を決定して、ＭｅＮＢにおける送信判定モジュールおよびスループット記憶モジュールにそれぞれ提供する。
【０１１６】
具体的に、現在時刻ｔでの送信判定結果がＭｅＮＢ送信無しである場合、前記ＭｅＮＢは、現在時刻ｔでのスループットＣｍ（ｔ）を０に設定し、現在時刻ｔでの送信判定結果がＭｅＮＢ送信有りである場合、前記ＭｅＮＢは、ＭｅＮＢユーザスケジューリングを行って、現在時刻ｔでのスループットＣｍ（ｔ）を得る。
【０１１７】
ステップ９０２で、１つまたは複数のＰｅＮＢは、ＰＵＥのフィードバック情報をＭｅＮＢに提供する。
【０１１８】
ステップ９０３で、判定記憶モジュールから得られた現在時刻ｔでの送信判定結果に基づいて、ＭｅＮＢにおけるＰＵＥ性能推定モジュールは、ＰＵＥのフィードバック情報から、前記１つまたは複数のＰｅＮＢの前記現在時刻ｔでのスループット合計
【数１２０】
2012157519.tif 000122
を得、ＭｅＮＢにおける送信判定モジュールおよびスループット記憶モジュールにそれぞれ提供する。
【０１１９】
具体的に、現在時刻ｔでの送信判定結果がＭｅＮＢ送信無しである場合、前記ＭｅＮＢは、ＭｅＮＢ送信無しに応じて、ＰｅＮＢユーザスケジューリングを行って、前記１つまたは複数のＰｅＮＢの現在時刻ｔでのスループット合計
【数１２１】
2012157519.tif 000123
を得、現在時刻ｔでの送信判定結果がＭｅＮＢ送信有りである場合、前記ＭｅＮＢは、ＭｅＮＢ送信有りに応じて、ＰｅＮＢユーザスケジューリングを行って、前記１つまたは複数のＰｅＮＢの現在時刻ｔでのスループット合計
【数１２２】
2012157519.tif 000124
を得る。
【０１２０】
ステップ９０４で、ＭｅＮＢにおける送信判定モジュールは、数式
【数１２３】
2012157519.tif 000125
によって、次の時刻ｔ＋１での送信判定結果ｄ（ｔ＋１）を決定する。
【０１２１】
具体的に、ＭｅＮＢにおける送信判定モジュールは、現在時刻ｔでの総スループット
【数１２４】
2012157519.tif 000126
と、スループット記憶モジュールから得られた前の時刻ｔ−１での総スループット
【数１２５】
2012157519.tif 000127
とを比較する。
【数１２６】
2012157519.tif 000128
前記ＭｅＮＢにおける送信判定モジュールは、判定記憶モジュールから得られた現在時刻ｔでの送信判定結果の通りに、次の時刻ｔ＋１での送信判定結果を設定する。
【数１２７】
2012157519.tif 000129
前記ＭｅＮＢは、次の時刻ｔ＋１での送信判定結果を、判定記憶モジュールから得られた現在時刻ｔでの送信判定結果と反対になるように設定する。つまり、現在時刻ｔでの送信判定結果がＭｅＮＢ送信有りである場合、次の時刻ｔ＋１での送信判定結果は、現在時刻ｔでの送信判定結果と反対になり、ＭｅＮＢ送信無しと設定される。現在時刻ｔでの送信判定結果がＭｅＮＢ送信無しである場合、次の時刻ｔ＋１での送信判定結果は、ＭｅＮＢ送信有りと設定される。
【０１２２】
ステップ９０５で、送信判定モジュールは、ステップ９０４で決定された次の時刻ｔ＋１での送信判定結果を、ＭｅＮＢの判定記憶モジュールに記憶する。これにより、次の時刻ｔ＋１で、ＭｅＮＢ送信無しまたはＭｅＮＢ送信有りに応じる動作が実行できるようにする。
【０１２３】
ステップ９０６で、ＭｅＮＢにおける判定記憶モジュールは、現在時刻ｔでの送信判定結果を、ＭｅＮＢにおける送信スイッチに伝送する。これにより、該ＭｅＮＢのデータ送信を相応に制御する。
【０１２４】
ステップ９０７で、判定記憶モジュールは、現在時刻ｔでの送信判定結果を、１つまたは複数のＰｅＮＢへフィードバックし、ＰｅＮＢは、受信された結果に基づいて、ＰＵＥスケジューリングを行って、相応のデータ送信を実行する。
【０１２５】
説明すべきものとして、図９に示すフローにおけるステップは、順序に従って実行することが要求されない。例えば、ステップ９０１を実行すると同時に、ステップ９０７を実行することができる。
【０１２６】
本発明のほかの具体的な実現において、ステップ９０２および９０３は、実行する必要がない。相応に、判定記憶モジュールが現在時刻ｔでの送信判定結果をＰｅＮＢへフィードバックした後、現在時刻ｔでの送信判定結果がＭｅＮＢ送信無しである場合、各ＰｅＮＢは、ＭｅＮＢ送信無しに応じて、該ＰｅＮＢユーザスケジューリングを行って、自局の現在時刻ｔでのスループットＣＰｊ（ｔ）を得て、前記ＭｅＮＢの送信判定モジュールに送信し、現在時刻ｔでの送信判定結果がＭｅＮＢ送信有りである場合、各ＰｅＮＢは、ＭｅＮＢ送信有りに応じて、該ＰｅＮＢユーザスケジューリングを行って、自局の現在時刻ｔでのスループットＣＰｊ（ｔ）を得て、前記ＭｅＮＢの送信判定モジュールに送信する。
【０１２７】
図１０は、本発明の１つの実施例における異種ネットワークのセル間干渉調整方法を示す。該方法は、下記のステップを含む。
【０１２８】
ステップ１００１で、判定記憶モジュールから得られた現在時刻ｔでの送信判定結果ｄ（ｔ）に基づいて、ＭｅＮＢにおけるＭＵＥスケジューリングモジュールは、該ＭｅＮＢの送信データ量Ｄｍ，ｉ（ｔ）を決定する。
【０１２９】
ステップ１００２で、１つまたは複数のＰｅＮＢは、ＰＵＥのフィードバック情報をＭｅＮＢに提供する。具体的に、ＰｅＮＢは、ＣＱＩ、ＰＭＩなどをＭｅＮＢにおけるＰＵＥ性能推定モジュールに提供し、ＰＵＥの正確受信指示情報ＡＣＫ／ＮＡＣＫを、ＭｅＮＢにおける実際スループット計算モジュールを提供する。ここで、ＡＣＫは、ＰＵＥがＰｅＮＢから送信されたデータを正確に受信したということを表し、ＮＡＣＫは、ＰＵＥがＰｅＮＢから送信されたデータを正確に受信しなかったということを表す。
【０１３０】
ステップ１００３で、ＰＵＥ性能推定モジュールは、得られたＰＵＥのフィードバック情報に基づいて、１つまたは複数のＰｅＮＢの送信データ量ＤＰｊ，ｉ（ｔ）を決定する。
【０１３１】
ステップ１００４で、ＭｅＮＢにおける実際スループット計算モジュールは、全ての送信ポイントの時刻ｔ−τおよびｔ−τ−１での総実際スループットを決定する。
【０１３２】
ステップ１００５で、送信判定モジュールは、現在時刻ｔにおいて、下記の方式を採用して、次の時刻ｔ＋１での送信判定結果ｄ（ｔ＋１）を決定する。
【０１３３】
具体的に、ＭｅＮＢにおける送信判定モジュールは、時刻ｔ−τでの実際スループット
【数１２８】
2012157519.tif 000130
と、時刻ｔ−τ−１での実際スループット
【数１２９】
2012157519.tif 000131
との大きさを比較する。時刻ｔ−τでの実際スループットが時刻ｔ−τ−１での実際スループットより大きい場合、ｄ（ｔ＋１）＝ｄ（ｔ）にする。時刻ｔ−τでの実際スループットが時刻ｔ−τ−１での実際スループットより大きくない場合、ｄ（ｔ＋１）をｄ（ｔ）と異なるように設定する。
【０１３４】
ここで、τは、正確受信指示情報のフィードバック時間遅延であり、Ｄｍ，ｉ（ｔ−τ）は、ＭｅＮＢの相応のユーザセットにおけるｉ番目のユーザの時刻ｔ−τでの送信データ量であり、ＤＰｊ，ｉ（ｔ−τ）は、ｊ番目のＰｅＮＢの相応のユーザセットにおけるｉ番目のユーザの時刻ｔ−τでの送信データ量である。ＡＮｍ，ｉ（ｔ−τ）は、ＭｅＮＢの相応のユーザセットにおけるｉ番目のユーザの時刻ｔ−τでの正確受信指示情報であり、ＡＮＰｊ，ｉ（ｔ−τ）は、ｊ番目のＰｅＮＢの相応のユーザセットにおけるｉ番目のユーザの時刻ｔ−τでの正確受信指示情報であり、この両者の値がいずれも０または１である。具体的に、ＡＣＫを受信した場合、ＡＮｍ，ｉ（ｔ−τ）またはＡＮＰｊ，ｉ（ｔ−τ）の値が１であり、ＮＡＣＫを受信した場合、ＡＮｍ，ｉ（ｔ−τ）またはＡＮＰｊ，ｉ（ｔ−τ）の値が０である。
【０１３５】
ステップ１００６〜１００８は、図９におけるステップ９０５〜９０７と同じであり、ここで説明を省略する。
【０１３６】
本発明の実施例では、通常基地局も提供されている。図１１に示すように、該通常基地局は、
通常基地局ユーザのフィードバック情報に基づいて、スケジューリングを行って、該通常基地局のユーザスケジューリング結果を得るユーザスケジューリングモジュール１１０１と、
１つまたは複数の低電力基地局の、通常基地局送信無しの場合および通常基地局送信有りの場合それぞれでの性能推定パラメータを取得し、前記性能推定パラメータと前記通常基地局のユーザスケジューリング結果とに基づいて、異なる送信ポイントの実際の伝送特性に関する、通常基地局送信無しの場合での優先度と通常基地局送信有りの場合での優先度とを決定して、前記優先度を比較することで、送信判定結果を得る送信判定モジュール１１０２と、を含む。
【０１３７】
本発明の例示的な実現において、送信判定モジュール１１０２は、図１〜８のフローに示す数式およびステップに従って、優先度を決定することができ、ここで説明を省略する。
【０１３８】
さらに、該通常基地局は、
前記１つまたは複数の低電力基地局から、低電力基地局ユーザのフィードバック情報を受信し、通常基地局送信無しの場合に対して、低電力基地局のユーザスケジューリングを行って、第１ユーザセットＡＰｊを得、通常基地局送信有りの場合に対して、低電力基地局のユーザスケジューリングを行って、第２ユーザセットＢＰｊを得、前記第１ユーザセットＡＰｊおよび前記第２ユーザセットＢＰｊに対して、性能推定をぞれぞれ行って、相応の性能推定パラメータを得る性能推定モジュール１１０３も含む。
【０１３９】
勿論、本発明のほかの具体的な実現において、低電力基地局により、性能推定パラメータを直接に通常基地局の送信判定モジュール１１０２へフィードバックすることもできる。具体的なフローについて、図５〜８を参照して、ここで説明を省略する。
【０１４０】
さらに、該通常基地局は、
前記送信判定結果に基づいて、前記通常基地局のデータ送信をオンまたはオフにする送信スイッチ１１０４も含む。
【０１４１】
本発明の実施例では、異種ネットワークも提供されている。該異種ネットワークは、
通常基地局ユーザのフィードバック情報に基づいて、スケジューリングを行って、該通常基地局のユーザスケジューリング結果を得、該通常基地局のカバー範囲内にある１つまたは複数の低電力基地局の、通常基地局送信無しの場合および通常基地局送信有りの場合それぞれでの性能推定パラメータを取得し、前記性能推定パラメータと前記通常基地局のユーザスケジューリング結果とに基づいて、異なる送信ポイントの実際の伝送特性に関する、通常基地局送信無しの場合での優先度と通常基地局送信有りの場合での優先度とを決定して、前記優先度を比較することで、送信判定結果を得、前記送信判定結果に基づいて、データ送信を行う通常基地局と、
自局のユーザのフィードバック情報に基づいて、プリスケジューリングを行って、通常基地局送信無しの場合での第１ユーザセットＡＰｊと、通常基地局送信有りの場合での第２ユーザセットＢＰｊとを得、第１ユーザセットＡＰｊおよび第２ユーザセットＢＰｊに対して、性能推定をぞれぞれ行って、得られた性能推定パラメータを前記通常基地局へフィードバックする前記１つまたは複数の低電力基地局と、を含む。
【０１４２】
本発明の例示的な実現において、通常基地局は、図１〜８のフローに示す数式およびステップに従って、優先度を決定することができ、ここで説明を省略する。
【０１４３】
具体的に、前記通常基地局は、さらに、前記送信判定結果を前記１つまたは複数の低電力基地局へフィードバックする。前記低電力基地局は、さらに、前記送信判定結果に基づいて、第１ユーザセットＡＰｊおよび第２ユーザセットＢＰｊの中から、相応のユーザセットを決定して、データ送信を行う。
【０１４４】
本発明では、ほかの通常基地局も提供されている。図１２に示すように、該通常基地局は、
現在時刻ｔでの送信判定結果に基づいて、該通常基地局の前記現在時刻ｔでの推定スループットＣｍ（ｔ）を決定するユーザスケジューリングモジュール１２０１と、
通常基地局の推定スループットＣｍ（ｔ）と、前記１つまたは複数の低電力基地局の前記現在時刻ｔでの推定スループット合計
【数１３０】
2012157519.tif 000132
との和
【数１３１】
2012157519.tif 000133
を得、かつ前の時刻ｔ−１での推定スループットの和
【数１３２】
2012157519.tif 000134
を得、次の時刻ｔ＋１での送信判定結果を決定することにより、前記送信判定結果に基づいて、次の時刻ｔ＋１で、通常基地局送信無しまたは通常基地局送信有りに応じる動作が実行できるようにする送信判定モジュール１２０２と、を含む。
【０１４５】
本発明の１つの具体的な実現において、該通常基地局は、現在時刻ｔでの送信判定結果が通常基地局送信無しである場合、通常基地局送信無しに応じて、低電力基地局のユーザスケジューリングを行って、前記１つまたは複数の低電力基地局の現在時刻ｔでの推定スループット合計
【数１３３】
2012157519.tif 000135
を得、現在時刻ｔでの送信判定結果が通常基地局送信有りである場合、通常基地局送信有りに応じて、低電力基地局のユーザスケジューリングを行って、前記１つまたは複数の低電力基地局の現在時刻ｔでの推定スループット合計
【数１３４】
2012157519.tif 000136
を得る性能推定モジュール１２０３をさらに含む。
【０１４６】
本発明の１つの具体的な実現において、該通常基地局は、前記現在時刻ｔでの送信判定結果に基づいて、前記通常基地局のデータ送信をオンまたはオフにする送信スイッチ１２０４をさらに含む。
【０１４７】
本発明の１つの具体的な実現において、該通常基地局は、各時刻での送信判定結果を記憶し、現在時刻ｔでの送信判定結果を前記送信判定モジュール１２０２に提供する判定記憶モジュール１２０５をさらに含む。さらに、判定記憶モジュール１２０５は、現在時刻ｔでの送信判定結果をユーザスケジューリングモジュール１２０１、性能推定モジュール１２０３に提供することもできる。
【０１４８】
前記送信判定モジュール１２０２は、現在時刻ｔでの総推定スループット
【数１３５】
2012157519.tif 000137
と、前の時刻ｔ−１での総推定スループット
【数１３６】
2012157519.tif 000138
とを比較し、
【数１３７】
2012157519.tif 000139
前記通常基地局は、現在時刻ｔでの送信判定結果の通りに、次の時刻ｔ＋１での送信判定結果を設定し、
【数１３８】
2012157519.tif 000140
前記通常基地局は、次の時刻ｔ＋１での送信判定結果を、現在時刻ｔでの送信判定結果と反対になるように設定する。
【０１４９】
本発明の１つの具体的な実現において、該通常基地局は、前記ユーザスケジューリングモジュール１２０１から提供されたＣｍ（ｔ）と、前記性能推定モジュール１２０３から提供された
【数１３９】
2012157519.tif 000141
とを記憶して、前の時刻ｔ−１での推定スループットの和
【数１４０】
2012157519.tif 000142
を、送信判定モジュール１２０２に提供するスループット記憶モジュール１２０６をさらに含む。
【０１５０】
本発明では、ほかの通常基地局も提供されている。図１３に示すように、該通常基地局は、ユーザスケジューリングモジュール１３０１、送信判定モジュール１３０２を含む。さらに、該通常基地局は、性能推定モジュール１３０３、送信スイッチ１３０４、判定記憶モジュール１３０５、実際スループット計算モジュール１３０６も含む。説明すべきものとして、図１３における通常基地局の各モジュールで実行される動作について、図１０のフローを参照して、ここで説明を省略する。
【０１５１】
説明すべきものとして、図１〜１３に示した実施例では、図１０および図１３において、送信判定結果を決定するためのパラメータが実際スループットであること以外、ほかの実施例において、上記のパラメータはいずれも推定スループットであってもよい。また、上記の実施例において、優先度は、相応の場合での全ての送信ポイントの重み付けスループットを指すことができる。例えば、ＭｅＮＢ送信有りの場合で、優先度は、ＭｅＮＢと１つまたは複数のＰｅＮＢとの重み付けスループットの和である。ＭｅＮＢ送信無しの場合で、優先度は、１つまたは複数のＰｅＮＢの重み付けスループットの和である。
【０１５２】
また、上記の実施例において、ピコ基地局（ＰｅＮＢ）およびマクロ基地局（ＭｅＮＢ）を例として挙げて、本発明の具体的な実現を説明したが、本発明の解決手段はこれに限定されない。例えば、ＰｅＮＢをほかの低電力基地局に置き換えてもよく、ＭｅＮＢをほかの通常基地局などに置き換えてもよい。また、同一通常基地局のカバー領域に位置する複数の低電力基地局は、例えばＰｅＮＢ、ｆｅｍｔｏ  ｅＮＢなどの異なるタイプの基地局であってもよい。
【０１５３】
ここから分かるように、本発明の方法では、１つまたは複数の低電力基地局の、通常基地局送信無しの場合および通常基地局送信有りの場合それぞれでの性能推定パラメータに基づいて、通常基地局送信無しの場合での優先度と通常基地局送信有りの場合での優先度とを決定して、さらに、送信判定結果を得る。このようにして、通常基地局の送信比率をより良く調整することができる。これにより、セル間干渉調整の性能を向上させる。
【０１５４】
勿論、本発明の上記実施例は、ただ異種ネットワークのみで例示的に説明したが、異種ネットワークに適用されることに限定されない。ほかのタイプの無線ネットワークも、該方法を使用して、セル間干渉調整を行うことができる。
【０１５５】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【０１５６】
本出願は、２０１１年５月１７日出願の２０１１１０１３７２９０．０に基づく。この内容は、全てここに含めておく。
【図１】
2012157519.tif 000207
【図２】
2012157519.tif 000208
【図３】
2012157519.tif 000209
【図４】
2012157519.tif 000210
【図５】
2012157519.tif 000211
【図６】
2012157519.tif 000212
【図７】
2012157519.tif 000213
【図８】
2012157519.tif 000214
【図９】
2012157519.tif 000215
【図１０】
2012157519.tif 000216
【図１１】
2012157519.tif 000217
【図１２】
2012157519.tif 000218
【図１３】
2012157519.tif 000219
【国際調査報告】
2012157519.tif 000220
2012157519.tif 000221
2012157519.tif 000222
2012157519.tif 000223